(57)【要約】【課題】無線通信コントローラを組み込み、このコントローラによってホスト装置にビデオリンクを提供するのみでなく、ホスト装置および他の装置の制御および管理を実行する装置を提供する。【解決手段】無線通信インタフェース１３５、ユーザ入力装置３３５、トランスミッタ３２５、およびコントローラ３３０を備えた単眼式表示装置１００を有する。単眼式表示装置１００の単眼ディスプレイ１１０は、ユーザの最大観察空間の半分未満を遮蔽するが、ユーザに画像を表示するようにユーザの目に対して位置合わせされる。【選択図】図１
2010527557.tif 000002
【特許請求の範囲】
【請求項１】
マルチメディアコンテンツを表示するように構成された携帯式で小型のディスプレイと、
当該装置と少なくとも１つのホストコンピュータ処理装置との間に無線接続を確立する無線インタフェースとを備え、
前記無線インタフェースは、ホストディスプレイインタフェースにおいて利用可能なマルチメディアコンテンツに対する要求を前記少なくとも１つのホストコンピュータ処理装置に送信し、マルチメディアコンテンツに対する前記要求に応答した前記少なくとも１つのホストコンピュータ処理装置からのマルチメディアコンテンツを受信する、装置。
【請求項２】
請求項１において、当該装置と前記少なくとも１つのホストコンピュータ処理装置との間の前記無線接続が、さらに、Microsoft Windows SideShow、リモートデスクトッププロトコル（ＲＤＰ）、または仮想ネットワークコンピュータ処理（ＶＮＣ）プロトコルに対応している、装置。
【請求項３】
請求項２において、当該装置と前記少なくとも１つのホストコンピュータ処理装置との間の前記無線接続が、さらに、前記ホストコンピュータ処理装置がスリープモードのときに、更新されたマルチメディアコンテンツについて、周期的に前記ホストコンピュータ処理装置を繰り返しポーリングし、前記ホストコンピュータ処理装置を前記スリープモードに復帰させる当該装置に対応している、装置。
【請求項４】
請求項１において、パケット交換ゲートウェイを実現するように、前記無線インタフェースがBluetooth（登録商標）プロクシを備えるBluetooth（登録商標）物理層である、装置。
【請求項５】
請求項１において、前記ディスプレイが、ユーザの周辺視野内に位置し、ユーザの平常の視野の半分未満を遮蔽するように構成されている、装置。
【請求項６】
請求項１において、さらに、前記少なくとも１つのホストコンピュータ処理装置と無線通信する入力装置を備える、装置。
【請求項７】
請求項１において、前記無線インタフェースが、IEEE（米国電気電子学会）802.11（Ｗｉ−Ｆｉ（登録商標））、IEEE802.15（Bluetooth（登録商標））、ワイヤレスユニバーサルシリアルバス（ＷＵＳＢ）、超広帯域（ＵＷＢ）、ワイヤレス高精細（WirelessＨＤ）、ワイヤレス高精細マルチメディアインタフェース（ＷＨＤＭＩ）、または携帯電話プロトコルのうちの１つ以上に対応している、装置。
【請求項８】
請求項１において、前記無線インタフェースが、前記少なくとも１つのホストコンピュータ処理装置の第１ホストコンピュータ処理装置との間の第１無線通信経路と、前記少なくとも１つのホストコンピュータ処理装置の第２ホストコンピュータ処理装置との間の第２無線通信経路とを確立する、装置。
【請求項９】
請求項８において、前記無線インタフェースが、さらに、標準または変更されたプロトコルを採用する前記第１および第２無線通信経路を確立し、可変ビットレートおよび可変バッファで複数チャネルを介する同時通信を提供する、装置。
【請求項１０】
請求項１において、前記少なくとも１つのホストコンピュータ処理装置から提供される前記マルチメディアコンテンツは、放送向けビデオ、放送向けテレビジョン、放送向けラジオ、インターネットアクセス、オーディオ、ビデオ、テキスト、画像、衛星サービス、または閉回路通信からなるグループから選択される、装置。
【請求項１１】
請求項１において、前記少なくとも１つのホストコンピュータ処理装置が、ラップトップコンピュータ、デスクトップコンピュータ、移動電話、携帯電話、携帯情報端末（ＰＤＡ）、ラジオ、衛星レシーバ、音楽プレーヤ、ビデオプレーヤ、マルチメディアプレーヤ、全地球測位システム（ＧＰＳ）装置、診断コンピュータ処理装置、またはスマートフォンである、装置。
【請求項１２】
請求項１において、さらに、前記少なくとも１つのホストコンピュータ処理装置のそれぞれにデバイスドライバを設け、前記デバイスドライバが、前記マルチメディアコンテンツの表示方法を当該装置に指示するマークアップ言語仕様を受信する、装置。
【請求項１３】
請求項１において、前記ホストコンピュータ処理装置は、さらに、前記ホストコンピュータ処理装置の動作が電源オン、オフ、または電力低減スリープモードである時に、当該装置にマルチメディアコンテンツを提供するようにユーティリティを作動し、
前記ディスプレイが、さらに、前記マルチメディアコンテンツを受信するために前記ホストコンピュータ処理装置の前記ユーティリティにアクセスする、装置。
【請求項１４】
請求項１３において、前記ユーティリティは、リモートデスクトッププロトコル（ＲＤＰ）および仮想ネットワークコンピュータ処理（ＶＮＣ）などのプロトコル、ならびにGoToMyPCのような商業サービスを介する前記ホストコンピュータ処理装置とのユーザ対話を要求することなく、ユーザから離れて動作する、装置。
【請求項１５】
装置にマルチメディアコンテンツを提供する方法であって、
前記装置と少なくとも１つのホストコンピュータ処理装置との間に無線接続を確立する工程と、
前記少なくとも１つのホストコンピュータ装置のディスプレイインタフェースにおいて利用可能なマルチメディアコンテンツに対する要求を、前記装置から前記少なくとも１つのホストコンピュータ処理装置に送信する工程と、
マルチメディアコンテンツに対する前記要求に応答した前記少なくとも１つのホストコンピュータ処理装置からのマルチメディアコンテンツを受信する工程と、
マルチメディアコンテンツを表示するように構成された携帯式で小型のディスプレイにおいて、前記マルチメディアコンテンツを表示する工程とを備えた、方法。
【請求項１６】
請求項１５において、前記装置と前記少なくとも１つのホストコンピュータ処理装置との間の無線接続が、Microsoft Windows SideShow、リモートデスクトッププロトコル（ＲＤＰ）、または仮想ネットワークコンピュータ処理（ＶＮＣ）プロトコルに対応しており、
さらに、前記プロトコルに従って前記マルチメディアコンテンツを表示する工程を備えた、方法。
【請求項１７】
請求項１６において、さらに、
前記ホストコンピュータ処理装置がスリープモードのときに、更新されたマルチメディアコンテンツについて、周期的に前記ホストコンピュータ処理装置を繰り返しポーリングする工程と、
前記ホストコンピュータ処理装置を前記スリープモードに復帰させる工程とを備えた、方法。
【請求項１８】
請求項１５において、前記無線インタフェースがBluetooth（登録商標）プロクシを備えるBluetooth（登録商標）物理層であって、
さらに、前記Bluetooth（登録商標）プロクシで用いるパケット交換ゲートウェイを実現する工程を備えた、方法。
【請求項１９】
請求項１５において、前記携帯式で小型のディスプレイが、ユーザの周辺視野内に位置し、ユーザの平常の視野の半分未満を遮蔽するように構成されている、方法。
【請求項２０】
請求項１５において、さらに、入力装置を介して前記少なくとも１つのホストコンピュータ処理装置を無線制御する工程を備えた、方法。
【請求項２１】
請求項１５において、さらに、IEEE（米国電気電子学会）802.11（Ｗｉ−Ｆｉ（登録商標））、IEEE802.15（Bluetooth（登録商標））、ワイヤレスユニバーサルシリアルバス（ＷＵＳＢ）、超広帯域（ＵＷＢ）、ワイヤレス高精細（WirelessＨＤ）、ワイヤレス高精細マルチメディアインタフェース（ＷＨＤＭＩ）、または携帯電話プロトコルのうちの１つ以上を用いる前記無線インタフェースを介する通信に対応する工程を備えた、方法。
【請求項２２】
請求項１５において、前記装置と前記少なくとも１つのホストコンピュータ処理装置との間に前記無線接続を確立する工程が、前記少なくとも１つのホストコンピュータ処理装置の第１ホストコンピュータ処理装置との間の第１無線通信経路と、前記少なくとも１つのホストコンピュータ処理装置の第２ホストコンピュータ処理装置との間の第２無線通信経路とを確立する工程を有する、方法。
【請求項２３】
請求項２２において、前記第１および第２無線通信経路を確立する工程が、標準または変更されたプロトコルを採用して、可変ビットレートおよび可変バッファで複数チャネルを介する同時通信を提供する工程を有する、方法。
【請求項２４】
請求項１５において、表示される前記マルチメディアコンテンツは、放送向けビデオ、放送向けテレビジョン、放送向けラジオ、インターネットアクセス、オーディオ、ビデオ、テキスト、画像、衛星サービス、または閉回路通信からなるグループから選択される、方法。
【請求項２５】
請求項１５において、前記少なくとも１つのホストコンピュータ処理装置が、ラップトップコンピュータ、デスクトップコンピュータ、移動電話、携帯電話、携帯情報端末（ＰＤＡ）、ラジオ、衛星レシーバ、音楽プレーヤ、ビデオプレーヤ、マルチメディアプレーヤ、全地球測位システム（ＧＰＳ）装置、診断コンピュータ処理装置、またはスマートフォンである、方法。
【請求項２６】
請求項１５において、さらに、前記マルチメディアコンテンツの表示方法を前記装置に指示するマークアップ言語仕様を受信する工程を備えた、方法。
【請求項２７】
請求項１５において、さらに、前記ホストコンピュータ処理装置の動作が電源オン、オフ、または電力低減スリープモードである時に、前記装置にマルチメディアコンテンツを提供する工程を備えた、方法。
【請求項２８】
請求項２７において、リモートデスクトッププロトコル（ＲＤＰ）および仮想ネットワークコンピュータ処理（ＶＮＣ）などのプロトコル、ならびにGoToMyPCのような商業サービスを介する前記ホストコンピュータ処理装置とのユーザ対話を要求することなく、前記ホストコンピュータ処理装置が前記装置にマルチメディアコンテンツを提供する工程を備えた、方法。
【請求項２９】
マルチメディアコンテンツを表示するように構成された携帯式で小型のディスプレイを有する装置と、
ホストディスプレイインタフェースとを備え、ユーザにマルチメディアコンテンツを提供するシステムであって、
前記装置は、さらに、この装置と少なくとも１つのホストコンピュータ処理装置との間に無線接続を確立する第１無線インタフェースを有し、
前記無線インタフェースが、さらに、前記少なくとも１つのホストコンピュータ処理装置のホストディスプレイインタフェースにおいて利用可能なマルチメディアコンテンツに対する要求を、前記少なくとも１つのホストコンピュータ処理装置に送信し、マルチメディアコンテンツに対する前記要求に応答した前記少なくとも１つのホストコンピュータ処理装置からのマルチメディアコンテンツを受信し、
前記少なくとも１つのホストコンピュータ処理装置が、ホストディスプレイインタフェースと、前記少なくとも１つのホストコンピュータ処理装置と前記装置との間に無線接続を確立する第２無線インタフェースとを有し、
前記少なくとも１つのホストコンピュータ処理装置は、この少なくとも１つのホストコンピュータ処理装置のホストディスプレイインタフェースにおいて利用可能なマルチメディアコンテンツを前記装置に提供し、
前記第２無線インタフェースは、さらに、前記少なくとも１つのホストコンピュータ処理装置からのマルチメディアコンテンツに対する要求を受信し、マルチメディアコンテンツに対する前記要求に応答したマルチメディアコンテンツを前記装置に送信する、システム。
【請求項３０】
請求項２９において、前記装置と前記少なくとも１つのホストコンピュータ処理装置との間の前記無線接続が、さらに、Microsoft Windows SideShow、リモートデスクトッププロトコル（ＲＤＰ）、または仮想ネットワークコンピュータ処理（ＶＮＣ）プロトコルに対応している、システム。
【請求項３１】
請求項３０において、前記装置と前記少なくとも１つのホストコンピュータ処理装置との間の前記無線接続が、さらに、前記ホストコンピュータ処理装置がスリープモードのときに、更新されたマルチメディアコンテンツについて、周期的に前記ホストコンピュータ処理装置を繰り返しポーリングし、前記ホストコンピュータ処理装置を前記スリープモードに復帰させる前記装置に対応している、システム。
【請求項３２】
請求項２９において、パケット交換ゲートウェイを実現するように、前記第１無線インタフェースおよび第２無線インタフェースが、Bluetooth（登録商標）プロクシを備えるBluetooth（登録商標）物理層である、システム。
【請求項３３】
請求項２９において、前記ディスプレイが、ユーザの周辺視野内に位置し、ユーザの平常の視野の半分未満を遮蔽するように構成されている、システム。
【請求項３４】
請求項２９において、前記装置は、さらに、前記少なくとも１つのホストコンピュータ処理装置と無線通信する入力装置を有する、システム。
【請求項３５】
請求項２９において、前記無線インタフェースが、IEEE（米国電気電子学会）802.11（Ｗｉ−Ｆｉ（登録商標））、IEEE802.15（Bluetooth（登録商標））、ワイヤレスユニバーサルシリアルバス（ＷＵＳＢ）、超広帯域（ＵＷＢ）、ワイヤレス高精細（WirelessＨＤ）、ワイヤレス高精細マルチメディアインタフェース（ＷＨＤＭＩ）、または携帯電話プロトコルのうちの１つ以上に対応している、システム。
【請求項３６】
請求項２９において、さらに、前記少なくとも１つのホストコンピュータ処理装置の第１ホストコンピュータ処理装置および第２ホストコンピュータ処理装置を備え、
前記第１無線インタフェースが、前記第１ホストコンピュータ処理装置の前記第２無線インタフェースとの間の第１無線通信経路と、前記第２ホストコンピュータ処理装置の第３無線インタフェースとの間の第２無線通信経路とを確立する、システム。
【請求項３７】
請求項３６において、前記第１無線インタフェースが、さらに、標準または変更されたプロトコルを採用する前記第１および第２無線通信経路を確立し、可変ビットレートおよび可変バッファで複数チャネルを介する同時通信を提供する、システム。
【請求項３８】
請求項２９において、前記少なくとも１つのホストコンピュータ処理装置から提供される前記マルチメディアコンテンツは、放送向けビデオ、放送向けテレビジョン、放送向けラジオ、インターネットアクセス、オーディオ、ビデオ、テキスト、画像、衛星サービス、または閉回路通信からなるグループから選択される、システム。
【請求項３９】
請求項２９において、前記少なくとも１つのホストコンピュータ処理装置が、ラップトップコンピュータ、デスクトップコンピュータ、移動電話、携帯電話、携帯情報端末（ＰＤＡ）、ラジオ、衛星レシーバ、音楽プレーヤ、ビデオプレーヤ、マルチメディアプレーヤ、全地球測位システム（ＧＰＳ）装置、診断コンピュータ処理装置、またはスマートフォンである、システム。
【請求項４０】
請求項２９において、前記装置は、さらに、前記少なくとも１つのホストコンピュータ処理装置のそれぞれにデバイスドライバを有し、前記デバイスドライバが、前記マルチメディアコンテンツの表示方法を前記装置に指示するマークアップ言語仕様を受信する、システム。
【請求項４１】
請求項２９において、前記ホストコンピュータ処理装置は、さらに、前記ホストコンピュータ処理装置の動作が電源オン、オフ、または電力低減スリープモードである時に、前記装置にマルチメディアコンテンツを提供するようにユーティリティを作動し、
前記ディスプレイは、さらに、前記マルチメディアコンテンツを受信するために前記ホストコンピュータ処理装置の前記ユーティリティにアクセスする、システム。
【請求項４２】
請求項４１において、前記ユーティリティは、リモートデスクトッププロトコル（ＲＤＰ）および仮想ネットワークコンピュータ処理（ＶＮＣ）などのプロトコル、ならびにGoToMyPCのような商業サービスを介する前記ホストコンピュータ処理装置とのユーザ対話を要求することなく、ユーザから離れて動作する、システム。
【請求項４３】
ホストプロセッサと、ホストメモリと、前記ホストプロセッサおよび前記ホストメモリに接続されたホストバスとを有するホストコンピュータシステムと組み合わせて使用される単眼式表示装置であって、前記ホストバスはさらにホスト無線通信インタフェースに接続されており、
装着時に、装着者のほぼ周辺視野内に位置し、装着者の平常の視野の半分未満を遮蔽するように、装着者によって装着される、単眼ディスプレイと、
前記単眼ディスプレイに接続された単眼式表示装置コントローラと、
前記ホスト無線通信インタフェースと通信する単眼式表示装置無線通信インタフェースと、
前記単眼式表示装置コントローラに接続された入力装置とを備え、
前記単眼式表示装置コントローラは、前記単眼式表示装置無線インタフェースを制御して、前記単眼式表示装置無線インタフェースを介して前記ホストコンピュータ処理システムに制御信号を送信するものであり、
前記ホスト無線通信インタフェースは、前記単眼式表示装置無線インタフェースから前記制御信号を受信して、前記単眼式表示装置無線インタフェースを前記ホスト無線通信インタフェースにリンクし、このリンクが双方向通信経路を提供するものであり、
前記入力装置は、前記ホストプロセッサと通信して、前記ホストプロセッサに入力信号を提供するものであり、
前記ホストコンピュータ処理システムは、制御信号を受信して画像を表示する１次ディスプレイ、および１次オーディオ装置を有し、この１次オーディオ装置は前記制御信号を受信してオーディオを前記１次オーディオ装置で再生するものであり、
前記制御信号は、前記双方向通信経路を介して前記単眼ディスプレイおよび前記オーディオ装置に通信され、前記単眼ディスプレイおよび前記オーディオ装置が前記ホストコンピュータ処理システムから離れて、画像を表示しかつオーディオを再生する、単眼式表示装置。
【請求項４４】
少なくとも２つの独立した無線通信経路を介して、ほぼ同時に、第１コンピュータ処理装置および第２コンピュータ処理装置を有する２つ以上のホスト装置と無線のインタフェースを有する、単眼式表示装置であって、
装着者によって装着されるように構成された単眼ディスプレイであって、装着者の周辺視野内に位置し、装着者の平常の視野の半分未満を遮蔽するように装着される、単眼ディスプレイと、
前記単眼ディスプレイに接続され、前記通信経路を介して前記第１および第２コンピュータ処理装置と無線通信する無線インタフェースとを備え、
前記第１および第２コンピュータ処理装置の間の中央ハブとして構成されている、単眼式表示装置。
【発明の詳細な説明】
【技術分野】
【０００１】
本発明は、ホストからのデータにアクセスする移動無線表示器に関する。
【関連出願】
【０００２】
本願は、2008年1月4日出願の米国仮特許出願第61/010,177号、2008年1月4日出願の米国仮特許出願第61/010,090号、および2007年5月14日出願の米国仮特許出願第60/930,232号の利益を主張する。本願はまた、2008年1月8日出願の米国特許出願第12/008,114号および2008年1月8日出願の米国特許出願12/008,104号に関連する。上記の出願の全教示は参照により本明細書に引用したものとする。
【背景技術】
【０００３】
例えばiPhone（登録商標）のような、携帯電話とデジタル・メディアプレーヤの間の最近の技術収束は、消費者の手中において、大容量のビデオなどのコンテンツを格納することができる小型の携帯装置に向っている。これらの携帯型装置は一般にビデオスクリーンを有するが、高解像度で大型表示器における視覚的体験は、携帯型ユニットの物理的サイズ制限のみが理由で、再現されない。
【０００４】
頭部装着型の表示装置が当技術分野において公知である。一般的に、表示器はユーザの左目もしくは右目または両目に画像を見せるように配置された小型カラーモニタである。これら装置は、ユーザの顔または頭部を取り囲むものが多く、重いのみでなく、ユーザの視野のほぼ全体を遮ってしまう。言い換えると、表示器を装着している間、ユーザは一般にユーザの平常の（表示器がない場合の）周辺視野内の他の物体を容易に見ることができないか、または使用中に平常の周辺視野のかなりの部分を失うことになる。他の頭部装着型のディスプレイは、片目に１つずつの２つの別個のディスプレイを有してもよく、これらはまた重いフレームに支持されている。
【０００５】
その結果、消費者は現在、携帯型ビデオ装置をより良くするために高品質の携帯型カラー表示器を捜し求めている。このような表示器の１つは、ユーザの顔または頭部に装着されるものであり、眼鏡またはヘッドフォンに類似している。光学技術における最近の劇的な発展によって、これらの装置は大型で高解像度の表示器を実現している。
【０００６】
このような装置の一例は、Naitoらに特許され、松下電器産業株式会社に譲渡された米国特許の特許文献１に見られる。この特許に開示された装着型情報装置は、例えば電子メールの着信などに関する情報をユーザに通知するために特定の情報を表示できる。
【０００７】
別のこのような装置は、Spitzerに特許され、ＭｙＶｕ社に譲渡された米国特許の特許文献２に開示されている。この装置は、頭部装着可能な支持体の一端部に取り付けられた投射型表示器を有する。接眼アセンブリが、この支持体の第２端部に取り付けられている。この支持体は投射型システムおよび接眼アセンブリを光路に沿って整列するように維持している。
【０００８】
これらの装置は、画像の高解像度表示および音響を提供できるが、ユーザの平常の視野空間を遮蔽するか、または視野空間の大部分を不鮮明にする可能性がある。ユーザは、ほぼ不動の場所に座っているかまたは立っている状態で、ユーザが安全であると認識する場所（例えば居間、家の中のどこか、作業空間）である、ごく少数の選択場所において表示器を使用する。ユーザは、遮蔽する表示装置を装着すると、多くの他の日常業務を効率的に実行できなくなる。日常業務には、中程度から高程度の個人の移動を必要とする活動に関わること、奥行き知覚の頻繁な調節を必要とする活動に関わること、不規則および不均一な表面を備える領域を移動する活動に関わること、または能動的に衝突回避が必要とされる活動に関わることが含まれる。いくつかの様々な日常業務には、また、絶えず変化する障害物や人混みを自分自身で移動すること、車を運転している際に遭遇する、高速で移動する物体を避けること、公共交通機関を使用する際のことまたは個人の安全が通常の周辺視野の損失により犠牲になる可能性のあるいずれかの環境をうまく切り抜けることが含まれる。生産性を向上する安全な方法でこれら日常業務を完了するために、このような装置を用いることを、ユーザは享受するであろう。
【０００９】
第２に、このような従来の頭部装着型の表示器は、実行可能な全体機能を制限する。このようなタスクには、音声付きで画像、グラフィックまたは映画を見ることが含まれる。これは、ゲームをする目的、またはテレビ放送もしくはビデオからの映像を娯楽のために視聴するためである。このような従来技術の頭部装着型の表示器は、他の日常的な、所望される機能的なコンピュータ処理タスクに関しては極めて不十分である。例えば、ユーザは、通信タスク、ウェブブラウジング（Ｗｅｂ閲覧）、ビジネス用アプリケーションの実行、アクティブナビゲーションタスク、リアルタイム更新を伴うモバイル命令などに関連して表示器を使用すること、またはユーザが日常業務で定期的に使用する（または接触する）他の装置を無線制御するのに表示器を使用することを望むかもしれない。これらの２次装置（他の装置）には、携帯情報端末（ＰＤＡ）、ノート型コンピュータ、デスクトップコンピュータ、携帯電話、車、無線ネットワーク、無線サービスのホットスポットに関連する装置、シンクライアントなどの電子装置、またはアプライアンスが含まれる。従来技術の頭部装着型の表示器は、多くの場合、例えば、実行プログラムを起動および制御する装置、リアルタイムで装置機能の変更を起動する装置、リアルタイムで装置の動作パラメータを変更する装置、モバイル装置とのローカルもしくはリモートの無線通信を可能にする装置、ならびに／または他の無線ネットワークおよびサービスを実行する装置などの装置とインタフェースを持つ（もしくはスレーブとなる）ことができない。
【００１０】
第３に、このような従来技術の装置は、ユーザが望む他の機能を提供するようにアップグレードするのが容易でない。ユーザは、ある場所では、特定のソフトウェアアプリケーションのいくつかの機能特性または特定のハードウェア構成の機能属性を所望しておきながら、一方で、他の場所においては、これらのソフトウェアアプリケーションまたはハードウェア構成を所望しないかもしれない。実際に、ユーザは、多数の重いハードウェア構成ならびに追加の接続および駆動装置を備えたこのような重い表示装置を使用する代わりに、装置から不要なハードウェアを取り外して、装置を軽量に維持することを望むかもしれない。
【００１１】
第４に、ユーザは、重要なデータにアクセスできる、軽量な小型モバイル装置を好んで利用し、ノート型コンピュータ、ラップトップ、タブレットコンピュータ処理装置などのより大きいコンピュータ、または比較的大型のメディアプレーヤを持ち運ぶことを望まない。さらに、ラップトップを持ち運ぶ場合、ユーザは、ラップトップを開いてスイッチを入れることが多く、次にマシンが起動するが、これには時間がかかる。これは敬遠され、特に、ユーザが移動中に、アドレス、電子メール、または電子メール添付ファイルからの関連テキストなどの特定の情報を迅速に得ることを望む場合には敬遠される。
【００１２】
Microsoft Windows SideShow（登録商標）は、ラップトップコンピュータのような移動式（モバイル）パーソナルコンピュータ上の２次スクリーン（一般に、ラップトップカバーの背面に配置されている）をサポートする、オペレーティングシステム（ＯＳ）内のソフトウェアプログラムである。この追加の２次ディスプレイを用いることで、ユーザは、コンピュータがスリープモードであるか、またはオン、オフされている間に、Microsoft Windows SideShow（登録商標）ソフトウェアプログラムにアクセスして２次ディスプレイ上に画像を表示することができる。
【００１３】
Microsoft Windows SideShow（登録商標）は、ガジェット（Gadget）と称される便利な小プログラムを使用する。これらガジェットプログラムは、ラップトップから他の装置に情報を伝達する。ガジェットは、Microsoft Windows SideShow（登録商標）互換装置で作動するコンピュータ上で動作し、その装置をコンピュータからの情報で更新する。ガジェットによって、コンピュータがオン、オフまたはスリープモードであるか否かに関係なく、コンピュータからの情報を見ることが可能となる。これは、コンピュータの起動を要求しないため、電力およびユーザの時間を節減する。
【００１４】
これらガジェットソフトウェアプログラムは限定されており、ユーザは、連続して監視するために何らかの入力装置を使用する必要がない、ラップトップコンピュータへの無線アクセスを可能にするソフトウェアガジェットを所望する。加えて、ユーザは、ラップトップコンピュータまたはＰＣがオン、オフまたはスリープモードでありながらコンピュータから多くの情報を得ることを所望する。
【先行技術文献】
【特許文献】
【００１５】
【特許文献１】米国特許第７０８８２３４号明細書
【特許文献２】米国特許第７１５８０９６号明細書
【発明の概要】
【発明が解決しようとする課題】
【００１６】
したがって、他のコンピュータ処理装置に問い合わせをして無線リンクを形成し、単眼式表示装置とコンピュータ処理装置との間でデータを受信および交換できる、軽量の装置が、当技術分野において必要とされる。また、コンピュータ処理装置に対して重複する補助単眼ディスプレイスクリーンとして機能し、これにより、ユーザが、マスタ−スレーブネットワーキング関係において入力装置を使用して、重複する補助単眼ディスプレイスクリーンから、コンピュータ処理装置からのデータにアクセスできる、単眼式表示装置が、当技術分野において必要とされる。
【課題を解決するための手段】
【００１７】
本開示の第１実施形態によれば、装着者によって装着されるように構成された単眼ディスプレイ（単眼表示器）を有する、単眼式表示装置が提供される。単眼ディスプレイは、ディスプレイ（表示器）は装着者の周辺視野内に位置し、装着者の平常の視野の半分未満を遮蔽するように、装着されるものである。装置はまた、単眼ディスプレイに接続された無線インタフェースを有し、ホストコンピュータ処理システムと無線で通信するように構成される。
【００１８】
ホストコンピュータ処理システムは、ホストコンピュータ処理システムから制御信号を受信して画像を表示する１次ディスプレイを有する。制御信号は第２ホスト無線インタフェースに伝達される。制御信号は、第２無線ホストインタフェースから無線インタフェースに送信される。信号は次に単眼ディスプレイに伝送されて、単眼ディスプレイ上に画像を表示する。単眼ディスプレイはホストコンピュータ処理システムから遠隔に配置されている。
【００１９】
単眼ディスプレイは、装着者の頭部に着脱可能に取り付けられてもよく、単眼ディスプレイプロセッサに接続された入力装置を有してもよい。入力装置はホストコンピュータ処理装置と通信する。単眼式表示装置はまた、ホストコンピュータがさらにインターネットサービスプロバイダと通信して、インターネットウェブページの画像を単眼式表示装置上に表示するように構成されてもよい。単眼式表示装置は、トランスミッタおよびレシーバでの無線インタフェースを有し、これによりホストコンピュータ処理装置との間で無線周波信号を送信および受信するように構成されてもよい。単眼式表示装置はディスプレイハウジングを有してもよい。ハウジングはディスプレイ本体に回転可能に結合されてもよく、ディスプレイ本体は装着者で支持されてもよい。
【００２０】
単眼式表示装置はまた、短距離無線通信プロトコルを用いてホストコンピュータ処理装置との間で無線周波数信号を送受信するように構成されてもよい。別の実施形態では、無線周波数信号は長距離無線プロトコルを用いて送信される。
【００２１】
単眼式表示装置はさらに、ホストコンピュータ処理装置が携帯電話ネットワーク互換無線プロトコルを使用して単眼式表示装置との間でデータを受信および受信するように、構成されてもよい。データは、無線通信インタフェースを用いて単眼式表示装置に通信される。さらに別の実施形態では、ホストコンピュータ処理装置はさらに、放送向けビデオプロバイダと通信してもよい。この実施形態では、プロバイダデータが受信され、単眼式表示装置上にビデオプロバイダの画像を表示する。
【００２２】
さらに別の実施形態では、ホストコンピュータはさらに放送向けテレビジョンプロバイダと通信して、プロバイダからの放送向けビデオを受信し、かつ放送向けテレビジョンを単眼式表示装置上に表示してもよい。ホストコンピュータ処理装置は、ラップトップコンピュータ、デスクトップコンピュータ、または携帯情報端末（ＰＤＡ）、メディアプレーヤ、ビデオディスクプレーヤ、全地球測位システムまたは任意のコンピュータ診断機器のうちの少なくとも１つであってもよい。ホストコンピュータ処理装置はまた、携帯電話（cellular telephone）、移動電話（mobile phone）、スマートフォンまたは任意の移動通信装置であってもよい。
【００２３】
単眼式表示装置はさらに、無線インタフェースに接続され、ホストコンピュータ処理システムと無線通信する、オーディオ再生装置を有してもよい。ホストコンピュータ処理システムは１次オーディオ再生装置を有してもよく、この１次オーディオ再生装置は、ホストコンピュータ処理システムから制御信号を受信し、単眼式表示装置においてオーディオを再生するように構成される。制御信号は、第２ホスト無線インタフェースに通信され、第２無線ホストインタフェースからオーディオ再生装置に送信される。信号は適切なフォーマットに変換され、ホストコンピュータ処理システムから遠隔に配置されているオーディオ再生装置上でオーディオを再生する。オーディオ再生装置はスピーカを備えてもよい。ホストコンピュータ処理装置は、音楽プレーヤ、放送オーディオを再生するための装置、移動電話またはメディアプレーヤのうちの少なくとも１つであってもよい。
【００２４】
単眼式表示装置は、好ましくは、無線インタフェースを用いて無線方式で他のリモート装置から、装着者の望む任意の機能にアクセスでき、これにより軽量装置が保証される。
【００２５】
本開示の別の実施形態によれば、見る人に対して画像を表示する方法が提供される。この方法は、見る人によって装着されて見る人の周辺視野内に位置するように構成されるディスプレイを提供する。ディスプレイは見る人の平常の視野の約半分未満を遮蔽する。この方法は、ホストコンピュータ処理システムに制御信号を提供する。制御信号は、ホストコンピュータ処理システムに接続された１次ディスプレイ上にビデオを表示するための信号である。制御信号はホストコンピュータ処理システムからディスプレイに無線送信され、ホストシステムから離れた単眼ディスプレイ上に画像を表示する。オーディオ装置にディスプレイが設けられてもよい。オーディオ装置はまた、単眼式表示装置で見る人によって装着されるように構成されてもよい。ホストコンピュータ処理システムからオーディオ装置に制御信号は送信されて、ホストコンピュータ処理システムから離れてオーディオ（音声）を再生し、これにより装着者はマルチメディアコンテンツを楽しむことができる。
【００２６】
本開示のさらに別の態様では、ホストシステムと組み合わせて使用され、ホストプロセッサ、ホストメモリおよびホストバスを有するように構成された単眼式表示装置が提供される。ホストバスは、ホストプロセッサおよびホストメモリに接続されている。ホストバスはさらにホスト無線通信インタフェースに接続されている。
【００２７】
単眼式表示装置は単眼ディスプレイを有する。ディスプレイは、装着時に、単眼ディスプレイが装着者のほぼ周辺視野内に位置し、装着者の平常の視野の半分未満を遮蔽するように構成される。単眼式表示装置コントローラも単眼ディスプレイに結合される。
【００２８】
ホスト無線通信インタフェースとの通信のために、単眼式表示装置無線通信インタフェースが提供される。装置はまた単眼式表示装置の入力装置を有する。入力装置は単眼式表示装置のコントローラに接続される。単眼式表示装置のコントローラは、無線インタフェースを制御して、無線インタフェースを介してホストコンピュータ処理システムに制御信号を送信するように構成される。ホスト無線通信インタフェースは、無線インタフェースから制御信号を受信して、無線インタフェースをホスト無線通信インタフェースにリンクする。そして、２方向通信経路を形成する。
【００２９】
装置は、通信経路を介してホストプロセッサと通信する入力装置を有する。この入力装置はホストプロセッサに入力を提供する。ホストシステムは１次ディスプレイを有する。１次ディスプレイは、画像を表示するための制御ビデオ信号を受信する。
【００３０】
ホストはまた１次オーディオ装置を有する。１次オーディオ装置はまた、１次オーディオ装置上でオーディオを再生するための制御信号を受信する。制御信号は、ホスト無線インタフェースから無線通信インタフェースに伝達される。信号は次に単眼ディスプレイおよびオーディオ装置に伝達される。単眼ディスプレイおよびオーディオ装置は、ホストコンピュータ処理システムから遠隔の場所において、画像およびオーディオを含むマルチメディアを再生する。
【００３１】
大部分の従来技術の装置では、ビデオヘッドセットは、ワイヤによってベースの電子ユニットに接続されている。これは高品質ビデオ信号を転送するのに十分な帯域幅を備える安全確実な通信リンクを提供するが、ワイヤを必要とすることはユーザの移動性を制限する。これとは反対に、無線ヘッドセットは、より優れた利便性および移動性を提供し、接続ワイヤの切断などの問題を回避する。
【００３２】
さらに、このようなオーディオヘッドセットには、単純なディスプレイ装置としての動作を超える追加機能を提供することが望ましい。例えば、無線ヘッドセットは、ホスト装置へのビデオリンクを提供するのみではなく、ホスト装置および他の多くの装置の制御および管理を提供する、無線通信コントローラを組み込むことができる。これに関連して、ホスト装置は、オーディオ、ビデオ、テキストおよび他の情報の発生源である（情報を送り出す）任意の適切な装置、例えば、携帯電話、パーソナルコンピュータ、ラップトップ、メディアプレーヤおよび／またはその他であってもよい。
【００３３】
一般に、このような無線ヘッドセットの機能態様には、ユーザインタフェース、ハードウェアインタフェース、Bluetooth（登録商標）インタフェースのような無線通信リンク、所望の制御可能なホストの種類にそれぞれ関連したデバイスドライバ、デバイスコンテンツ、およびプラットフォームに対するアプリケーションの作成を可能にする、ＳＤＫ（System Development Kit）のようなその他のサポート機能が含まれる。
【００３４】
特定の一実施形態では、ユーザインタフェースはデバイスブラウザアプリケーションから成り、このアプリケーションは、ユーザインタフェースにメニュー、アイコン、およびブラウザ上の動作を選択する能力を提供する。デバイスブラウザアプリケーションをサポートするために必要とされる追加の態様には、Windows ＣＥ、Windows MobileまたはLinuxカーネルなどの基本オペレーティングシステムのカーネル、描画プリミティブ関数、およびウインドウツールキットが含まれてもよい。デバイスブラウザアプリケーションはまた、スピーチ入力アプリケーション、Windows SideShowアプリケーション、ＶＮＣ（仮想ネットワークコンピュータ処理（Virtual Network Computing））クライアントアプリケーション、ＲＤＰ（リモートデスクトッププロトコル（Remote Desktop Protocol））およびウェブブラウザアプリケーションなどのユーザインタフェースおよび他の共通のアプリケーションをサポートしてもよい。
【００３５】
さらなる仕様詳細において、無線インタフェースはBluetooth（登録商標）プロクシを備えるBluetooth（登録商標）物理層上で実現され、Bluetooth（登録商標）プロクシは複数のコネクション（接続）またはソケットを要求する複数のデバイスブラウザアプリケーション間の、パケット交換ゲートウェイ機能を実行する。これにより、単一のBluetooth（登録商標）リンクが、それぞれネットワーク接続を要求している複数のクライアントブラウザアプリケーションになる。したがって、例えば、このような構成でなければ複数のソケットまたはコネクションを要求するであろう、無線ヘッドセット装置上で動作する複数のアプリケーションが、単一のBluetooth（登録商標）接続を共有できる。またこれにより、無線ヘッドセットに対して既に開発されたアプリケーションが、変更されることなく、装置上で動作できる。
【００３６】
Bluetooth（登録商標）プロクシ層はBluetooth（登録商標）物理ネットワーク層と、例えば伝送制御プロトコル（ＴＣＰ）層のようなネットワークプロトコル層との間に加えられる。Bluetooth（登録商標）プロクシ層は通信要求をインタセプト（横取り）し、まとめて単一のBluetooth（登録商標）ソケットに送る。
【００３７】
他の態様では、ＶＮＣのような仮想ネットワーククライアント接続、ＲＤＰまたはSideShowが無線ヘッド装置上で動作してもよく、また仮想ネットワークサーバが１つ以上のホスト装置上で動作できる。クライアントアドレス割当てをBluetooth（登録商標）装置発見（ディスカバリ）プロセスと連係させることによって、クライアントとサーバはペアを形成することができる。無線ヘッドセット装置上に特定のローカルのホストポートプロクシを設定して、ＴＣＰレベルのアドレス自動割当てに対して特定のポート上に現われる要求を常に探すことができる。
【００３８】
さらに別の態様では、様々な種類のホスト装置にそれぞれデバイスドライバが設けられてもよい。次に、これらのホスト装置ドライバは、ページマークアップ言語を用いて、装置が提供するコンテンツを無線ヘッドセットであるクライアント装置が解釈できる汎用フォーマットに再フォーマットする。これにより、例えば電子メール受信ボックスのコンテンツのようなコンテンツの所与の種類を、コンテンツの発生源であるホスト装置の厳密な種類に関係なく、期待されるフォーマットで無線ヘッドセット装置に常に提示できる。このことから、例えば、Blackberry（登録商標）装置が発生源である電子メール受信ボックスのコンテンツは、Microsoft（登録商標）Windowsベースのマシンが発生源である電子メール受信ボックスのコンテンツと同一フォーマットでデバイスブラウザアプリケーションに提供される。
【００３９】
無線方式で受信されたマルチメディアコンテンツを表示するシステムおよびその方法は、マルチメディアコンテンツを受信し、フォーマットし、送信するように構成されたホストコンピュータ処理装置を備え、このホストコンピュータ処理装置は、Microsoft SideShowのようなユーティリティを有し、ホストコンピュータ処理装置がオン、オフまたはスリープモードである間に動作するように構成されたリモートスクリーンをサポートする。前記システムおよび方法は、また、マルチメディアコンテンツを受信および表示するためにホストコンピュータ処理装置のユーティリティにアクセスするように構成された移動（モバイル）コンピュータ処理装置を備える。
【００４０】
ユーティリティは、ホストコンピュータ処理装置の記憶装置、コンテンツ、アプリケーションおよびサービスへのリモートアクセスを提供してもよく、またＲＤＰ（Remote Desktop Protocol）およびＶＮＣ（Virtual Network Computing）などのプロトコルならびにGoToMyPCのような商業サービスを介したホストコンピュータ処理装置とのユーザ対話を要求せずに、遠隔で動作してもよい。さらに、ユーザによってユーティリティが変更されて、更新されたマルチメディアコンテンツを周期的にホストコンピュータ処理装置に対して繰り返しポーリングし、ホストコンピュータ処理装置をスリープモードに復帰させてもよい。マルチメディアコンテンツは、Bluetooth、802.11(b)、802.11(g)、8002.11(n）、無線ＵＳＢ、携帯電話またはインターネットを介して受信されてもよい。マルチメディアコンテンツはまた、オーディオ、ビデオ、テキスト、画像、携帯サービス、ＷｉＦｉ、衛星サービス（衛星放送）、放送テレビジョン、閉回路通信またはインターネットアクセスを含んでもよい。
【００４１】
移動コンピュータ処理装置は、支持構造体、ディスプレイ、および、近位端は支持構造体に接続され遠位端はディスプレイに接続された位置合わせ構造体を有してもよい。これに加えて、移動コンピュータ処理装置はさらにマルチメディアコンテンツに対する要求を送信するように構成されてもよく、ホストコンピュータ処理装置はさらにマルチメディアコンテンツに対する要求を移動コンピュータ処理装置から受信するように構成されてもよい。同様に、ホストコンピュータ処理装置はリモートデータベースからマルチメディアコンテンツを抽出するように構成されてもよい。
【００４２】
いくつかの例では、別のBluetooth装置への直接接続が、ビデオおよびオーディオのデータの高速ストリーミングに使用されてもよい。ストリームは、コンテンツの自動再生を可能にする、ファイル拡張子を含んでもよい。
【００４３】
携帯式の装着型ディスプレイプラットフォームは、デジタル入力、音声、Bluetoothキーボードおよびマウスから成る発生源からのユーザ入力および制御を受け付ける。これら入力発生源によって、ユーザは自由に、メニュー表示（menuing）、ブラウジング、仮想コネクションおよび電子メール、プレゼンテーションなどの業務成果物をナビゲートし（見て回り）、変更することができる。
【００４４】
上記内容は、添付図面に示されるように、本発明の例の実施形態のより詳細な以下の説明から明らかになるであろう。図面では、同一参照符号は異なる図面全体を通して同一部品を指す。図面は、必ずしも縮尺通りでなく、代わりに本発明の実施形態を示すことに重点を置いている。
【図面の簡単な説明】
【００４５】
【図１】本発明による例示の実施形態の単眼式表示装置の斜視図、および例示の実施形態の単眼式表示装置とホストコンピュータ処理装置との間の無線通信を示した図である。
【図２】例示の実施形態の単眼式表示装置とホストコンピュータ処理装置との間の通信と、ホストコンピュータ処理装置と他の外部データベースと間の通信と、マルチメディアコンテンツを単眼式表示装置に配信するためのインターネットとを示したネットワーク図である。
【図３】２方向通信経路を介してデータを無線送信する、例示の実施形態の単眼式表示装置およびホストコンピュータ処理装置の内部コンポーネントの概略を示したブロック図である。
【図４】２方向通信経路を介してデータを無線送信する、例示の実施形態の単眼式表示装置およびホストコンピュータ処理装置の内部コンポーネントの概略を示したブロック図である。
【図５】例示の実施形態の単眼式表示装置の動作を示したフローチャートである。
【図６】単眼式表示装置を用いて、ユーザインタフェースを介して様々なホストを制御および管理する方法を示した、高レベルなソフトウェア図である。
【図７】例示の実施形態の単眼式表示装置の例示のハードウェアインタフェースを示した図である。
【図８】２方向通信経路を介してデータパケットを伝達するBluetooth（登録商標）プロクシを示したブロック図である。
【図９】２方向通信経路を介してデータパケットを伝達するBluetooth（登録商標）プロクシを示したブロック図である。
【図１０】２方向通信経路を介してデータパケットを伝達するBluetooth（登録商標）プロクシを示したブロック図である。
【図１１】デバイスドライバを示したブロック図である。
【図１２】デバイスコンテンツを示したブロック図である。
【発明を実施するための形態】
【００４６】
以下に本発明の例の実施形態を説明する。
【００４７】
図１は、本発明による例示の実施形態の単眼式表示装置１００を示す。この装置１００は、マルチメディアコンテンツを再生し、マスタ‐スレーブネットワーク関係にあるリモートコンピュータ処理装置から無線方式でビジネスアプリケーションを実行できる。本発明の単眼式表示装置１００は、軽量のモバイル（移動式）装置であり、テレスコープ型アーム部１１５によりディスプレイ要素１１０に接続されている本体部１０５を有する。本体部１０５は装置１００の１つ以上の内部コンポーネントを収容し、この内部コンポーネントには、ハードウェアインタフェース１２０およびBluetooth（登録商標）無線ハードウェア（図示せず）のコンポーネントが含まれる。
【００４８】
一実施形態では、ディスプレイ要素１１０は、本出願人によって製造され、「CYBERDISPLAY（登録商標） WVGA LV」という商標名で販売されている、ＷＶＧＡ（ワイドビデオグラフィックスアレイ）ディスプレイである。ディスプレイ要素１１０は、854×480の解像度を有する、カラーフィルタ付ワイドフォーマットのアクティブマトリクス液晶ディスプレイであってもよい。この実施形態におけるディスプレイ要素１１０は、対角寸法0.58インチ（約1.47cm）であってもよい。別の実施形態では、ディスプレイ要素１１０は、代替案として、本出願人によって同じく製造され、「CYBERDISPLAY（登録商標） SVGA LVS」という商標名で販売されているＳＶＧＡ（スーパービデオグラフィックスアレイ）を備えてもよい。ディスプレイ要素１１０は、800×600の解像度を有する、カラーフィルタ付アクティブマトリクス液晶ディスプレイであってもよい。この実施形態のディスプレイ要素１１０は、対角寸法で約0.44インチ（約1.12cm）であり、軽量であってもよい。ディスプレイ要素１１０は、他にも、例えば、2008年1月8日出願の米国特許出願第12/008,114号および2008年1月8日出願の米国特許出願第12/007,104号に詳細に開示されたものが考えられ、これらの出願の全開示内容は、参照により本明細書に引用したものとする。本発明の装置１００は、任意の特定のディスプレイ要素１１０によって限定されるわけではなく、移動の動作用に構成された当技術分野において既知の任意の軽量ディスプレイで使用できる。
【００４９】
好ましくは、テレスコープ型アーム１１５は、調節可能な２つの円筒形のテレスコープ型部であって、ピボット軸に接続されているテレスコープ型部から構成された、弾性を有する棒状部材である。ユーザは、快適な鑑賞位置までディスプレイ要素１１０を本体部１０５に対して延出して回転することにより、ディスプレイ要素１１０がユーザの真正面に位置しないようにするか、またはユーザの視野を遮蔽せず、代わりにユーザの周辺視野に位置するようにする。好ましくは、本体部１０５は弾性部材であり、フックなどのコネクタを含み、装着者の眼鏡に結合されるかまたは装着者に支持される。ディスプレイ要素１１０は、好ましくは、見る人の通常の視野の外側に留まるように構成され、見る人の目を遮蔽せず、代わりに見る人の周辺視野の外側に位置する。この構成において、ユーザは、ユーザの日常活動中に、例えば、ランニング、ウォーキングまたはレクリエーション活動中において、快適に単眼式表示装置１００を装着してもよい。一実施形態では、本体部１０５は別個のクリップまたは別個のコネクタを有してもよく、見る人の周辺視野の外側に位置するディスプレイ要素１１５を適正に支持するために、ユーザの眼鏡、衣服、帽子、野球帽などの支持体面にこのクリップまたはコネクタを固定する。
【００５０】
例示の実施形態の単眼式表示装置１００は、好ましくは、コンピュータ処理装置１２５との２方向つまり双方向の無線通信リンク１３５を確立でき、確立後に装置１００は、無線リンク１３５を介してホスト装置１２５との間で高速のデータ転送速度でデータを送受信できる。その後、単眼式装置１００は、無線リンクで受信したデータを、グラフィカルビデオデータを含むマルチメディアデータに変換して、単眼ディスプレイ要素１１０上に画像を表示できる。受信データは、ホストコンピュータ処理装置１２５から、あるいはリモートメモリのような別のリモートデータベースまたはリモートソースから発生したものである。
【００５１】
一実施形態では、無線通信リンク１３５は狭い周波数帯域または広い周波数帯域の無線周波数信号を使用して、指定されたチャネルを介して両方の装置１２５、１００で認識されるプロトコルを用いて装置間でデータを通信する。好ましくは、無線周波数信号は低出力で、所望の距離（数フィートから、または20フィート（約6.9m）よりも長い距離であってもよい）にわたって無線周波数信号を送信するように、約1.0ｍワットから100ｍワットの範囲である。
【００５２】
一実施形態では、単眼式表示装置１００は、Bluetooth（登録商標）１３７通信規格を用いてホストコンピュータ処理装置１２５と通信する。一実施形態では、Bluetooth（登録商標）技術によって、2.4ギガヘルツの周波数を用いて、約１Mbpsのデータ転送速度で約10メートル離れたコンピュータ処理装置とのデータ通信が可能になる。
【００５３】
別の実施形態では、無線通信リンク１３５は、ＩＥＥＥ（米国電気電子学会）802.11(b)もしくはIEEE802.11(g)または別の規格を使用してもよい。さらに別の実施形態では、無線通信リンク１３５は、約480Mbpsのデータ転送速度を備えるBluetooth（登録商標）3.0、ＵＷＢ（超広帯域無線（Ultra-Wide Band））、ＷＵＳＢ（ワイヤレスユニバーサルシリアルバス（Wireless Universal Serial Bus））、WirelessＨＤ（ワイヤレス高精細（Wireless High Definition）、ＷＨＤＭＩ（ワイヤレス高精細マルチメディアインタフェース（Wireless High Definition Multimedia Interface））、ＷｉＦｉなどの当技術分野において既知の任意の高速デジタル通信規格であってもよい。別の代替実施形態では、単眼式表示装置１００は、リンク１３５の代わりに、例えばシリアルポートもしくはＵＳＢ（Universal Serial Bus）ケーブルなどの有線接続を使用して、ホストコンピュータ処理システム１２５と通信してもよい。代わりに、無線通信リンク１３５は、データを通信するために、符号分割多元接続（ＣＤＭＡ）規格、時分割多元接続（ＴＤＭＡ）規格もしくは周波数分割多元接続（ＦＤＭＡ）規格、または代替として、当技術分野において既知のスペクトラム拡散通信における任意の他の周波数ホッピング規格であってもよい。有線および無線通信の様々なプロトコル規格が当技術分野において既知であり、本発明の装置１００は、任意の特定のリンクまたは無線周波数プロトコルに限定されるわけではない。
【００５４】
本発明の単眼式表示装置１００は、２方向つまり双方向の無線通信リンク１３５を介してコンピュータ処理装置１２５と通信して、単眼ディスプレイ要素１１０上に映像および音声を再生する。単眼式表示装置１００は、また、例えば無線ラップトップ１２５ａのようなホストコンピュータ処理装置１２５を制御して、無線リンク１３５を介してラップトップ１２５ａから、ビジネスアプリケーションを実行し、電子メールを検索し、さらに実行可能なコードおよびアプリケーションを実行する。この点に関して、単眼式表示装置１００は、入力装置１２０（例えば図３の入力装置３３５）を有し、ホストコンピュータ処理装置１２５に無線入力信号を送信できる。入力信号は、ホストコンピュータ処理装置１２５を制御して、ホストコンピュータ処理装置１２５上でアプリケーションを実行するように制御信号を提供する。その後、ホストコンピュータ処理装置１２５はディスプレイ要素１１０にグラフィカル出力を出力して、ホストコンピュータ処理装置１２５から離れた距離に位置しているかもしれない単眼ディスプレイ１００において、ホストコンピュータ処理装置１２５で動作するアプリケーションを遠隔表示する。ホスト１２５はディスプレイ１１０上で見るための様々な種類のコンテンツ１５０を発生して供給する。このようなコンテンツには、ビデオ（映像）１５０ａ、オーディオ（音声）１５０ｂ、コンピュータデータ１５０ｃ、ならびに、例えば、カレンダ１５０ｄ、電子メールなどのホスト１２５から定期的に得られる任意の数のデータ種類である、他の種類の情報が含まれる。
【００５５】
さらに、ソフトウェアＳＤＫ（System Development Kit（システム開発キット））１６０が、ホスト１２５へのインタフェースを指定するためにアプリケーションプログラマによって使用されてもよく、これによりコンテンツ１５０はディスプレイ１１０上に表示される。多くの理由で、装置１００は、既存のウェブのような種類のコンテンツを単に表示することができない場合がある。具体的には、コンテンツ１５０は、ディスプレイ１１０に適合するように特に設計されて実現される必要がある。これを促進するために、developer（ディベロッパ）ＳＤＫ１６０は、これらのアプリケーションのグラフィカル部分を開発者が迅速かつ容易に開発することを可能にする。これらの同一アプリケーションのバックエンドが、次に、特定の装置１００の選択のプログラム言語にコード化される。これについては、以下により詳細に説明する。
【００５６】
２方向の無線通信リンク１３５を用いて、移動装置（モバイル装置）１００は、Microsoft Windows SideShow（登録商標）にアクセスして、移動装置１００にアクセスするためのデータを、リンク１３５を介して提供する。好ましくは、Microsoft Windows SideShow（登録商標）プログラムは、無線Bluetooth、802.11(b)、802.11(c)または802.11(g)接続によって移動式装置からアクセスされてもよく、移動装置１００は、ホストコンピュータ処理装置１２５からはるか遠方に位置していてもよい。好ましくは、移動装置１００は、インターネットを介してホストコンピュータ処理装置１２５に無線接続される。したがって、移動装置１００は世界中どこからでも接続することができ、遠隔のホストコンピュータ処理装置１２５に動作可能に接続されたメモリからのデータにアクセスできる。
【００５７】
さらに、ＰＣユーザは、Microsoft Windows SideShow（登録商標）を使用して、休止状態（hibernating）または起動されているＰＣに触れることを必要とせずに、ＲＤＰ（Remote Desktop Protocol（リモートデスクトッププロトコル））、ＶＮＣ（Virtual Network Computing（仮想ネットワークコンピューティング））、GoToMyPc（市販のリモートアクセスＰＣ・コマンドおよび制御サービス）などを介して、ＰＣまたはサーバのコンテンツ、アプリケーションおよびＰＣサービスを遠隔から駆動、アクセスおよび命令することができる。
【００５８】
単眼式表示装置１００は、任意の特定のホストコンピュータ処理装置１２５を使用することに限定されないことが理解されるべきである。また、ラップトップコンピュータ１２５に関する説明は単に例示であり、これに限定されるものではないことが理解されるべきである。代わりに、本発明の単眼式表示装置１００は、例えば、携帯電話、携帯情報端末（ＰＤＡ）（例えばＰＡＬＭ（登録商標）互換装置）、デスクトップコンピュータ、タブレットコンピュータ、移動式電子メール通信装置（例えばBlackberry（登録商標）またはGood Technology（登録商標）互換装置）などの移動式携帯型装置または情報データベースと通信してもよく、あるいは例えば、Apple Ｉ-Pod（登録商標）ビデオおよびオーディオプレーヤ、Microsoft Zune（登録商標）マルチメディアプレーヤ、および、他のＭＰＥＧ（Motion Picture Experts Group）-1 Audio Layer３（ＭＰ３）音楽プレーヤ、デジタルビデオプレーヤまたはドライブなどの個人用デジタル音楽またはビデオプレーヤと通信する。ホストコンピュータ処理装置１２５は、また、自動車システム、全地球測位システム装置、衛星ラジオレシーバもしくはプレーヤ（例えばXM Satellite Radio（登録商標））、またはSirius Satellite Radio（登録商標）互換装置であってもよい。ホストコンピュータ処理装置１２５は、また、メインフレーム・コンピュータ処理装置、デジタル試験装置、診断機器、ＴＩＶＯ（登録商標）もしくは他のデジタルビデオレコーダ、セットトップ・ケーブルボックスなどの当技術分野において公知である任意のデジタルまたはアナログの装置であってもよい。
【００５９】
単眼式表示装置１００は、第１フォーマットから第２フォーマットに変換する、適切なプログラム命令を有する。この第２フォーマットは、所望のホストコンピュータ処理装置１２５が受信および作用できるものであり、これにより、適正に制御信号を送信する。そして、これに関して、単眼式表示装置１００は、好ましくは、特定のホストコンピュータ処理装置に応じてフォーマット間の変換を行うコンバータ（図示せず）を有することが理解されるべきである。本発明の開示の範囲内で様々なフォーマット構成が可能であり、本発明の補助の単眼ディスプレイ１００は任意の特定のホストまたは通信フォーマットに限定されるわけではない。
【００６０】
ホストコンピュータ処理システム１２５は、リモートデータベースと通信してもよく、単眼式表示装置１００とマルチメディアコンテンツの発生源つまりサイトとの間の中間システムとして作用してもよい。これにより、ユーザは、マルチメディアコンテンツを得ることに関連した、接続された重いコンピュータ処理装置およびネットワーク接続なしに、（装着者の周辺視野において）マルチメディアを見ることができる。装置１００は、約2〜3オンス（57〜85g）で極めて軽量であり、装着者によって支持されるため、通常の日常活動を営むように装着者は遮蔽されながらも移動することができる。
【００６１】
ホストコンピュータ処理装置１２５は、例えばデスクトップまたはラップトップコンピュータなどのパーソナルコンピュータ処理装置であってもよく、これらコンピュータは、例えば、Microsoft Windows Vista（登録商標）ＯＳ、Microsoft Windows Mobile（登録商標）、Apple Mac OSX（登録商標）ＯＳ、Symbian ＯＳ互換オペレーティングシステム、Ｌｅｎｏｖｏ互換オペレーティングシステム、Ｌｉｎｕｘオペレーティングシステム、ＵＮＩＸ（登録商標）オペレーティングシステムなどのインターネット対応で無線移動動作用に構成された既知の適切なオペレーティングシステム（ＯＳ）を有する。
【００６２】
図２は、ホストコンピュータ処理システム１２５と相互作用する、例示の実施形態の単眼式表示装置１００を示す図である。ホスト１２５は、インターネット２５０またはそれに接続されたデータベース２５５に対して、携帯電話サービス２００ａ、Ｗｉ‐Ｆｉ２００ｂ、衛星サービス２００ｃ、放送テレビジョン２００ｄおよび閉回路通信２００ｅなどの２方向通信経路を介して情報を取得し、その情報のコンテンツを単眼式表示装置１００のディスプレイ要素１１０に表示する。
【００６３】
一実施形態では、通信経路２００ａは携帯移動通信無線経路であってもよく、各通信経路は残りの２方向通信経路２００ｂ〜２００ｅに対して異なっていても同一であってもよい。一実施形態では、ホストコンピュータ１２５はSprint（登録商標）EV-DO無線広帯域接続を用いて情報を取得し、次に、Bluetooth（登録商標）無線接続１３５を用いて単眼式装置１００と通信してもよい。
【００６４】
別の実施形態では、通信経路２００ｂはＷｉ‐Ｆｉ通信経路または同様の無線周波数信号通信リンクであってもよい。ホストシステム１２５は、衛星サービスプロバイダ、デジタルビデオレコーダ、広帯域テレビジョンプロバイダまたは閉回路通信装置と、それぞれ、通信経路２００ｃ、２００ｄまたは２００ｅを用いて通信してもよい。経路２００ａから２００ｅは、また、公衆アクセス無線ホットスポットに接続されてもよい。
【００６５】
なお、本発明の単眼式表示装置１００は、スポーツ競技の閉回路テレビジョンを観るために、NASCAR Nextel Fan View（登録商標）と互換性があってもよく、および／または閉回路のテレビ番組を表示するために、kangaroo.tv放送装置と互換性があってもよい。本発明の単眼式表示装置１００は、ライブ放送を受信するように構成されてもよく、リアルタイムでスポーツ競技の複数の異なる放送番組（同一または異なる競技について）、統計資料およびオーディオ（音声）データを受信することができる。
【００６６】
ホストシステム１２５は、通信経路２００ａ、２００ｂを介してインターネット２５０上のワールドワイドウェブ（World Wide Web）サーバにアクセスし、通信リンク１３５を介してディスプレイ要素１１０に保持され表示される情報を取得してもよい。一実施形態では、データは、例えばハイパーテキストマークアップ言語（ＨＴＭＬ）、拡張マークアップ言語（ＸＭＬ）、ＪＰＥＧ（Joint Photographic Experts Group）、ＷＡＶ（Waveform）、ＡＩＦＦ（Audio Interchange File Format）、ＢＭＰ（Bitmap）、ＰＩＣＴ（Picture）、ＧＩＦ（Graphic Interchange Format）およびＷＭＶ（Windows Media Video）などのストリーミングのビデオおよびオーディオを含むマルチメディアコンテンツに適した、既知のデータフォーマットであってもよい。データは、通信経路２００ｆを介してデータベース２５５からインターネットを経由して取得できる。本開示の範囲内で様々な通信経路構成が可能である。
【００６７】
ホストコンピュータ１２５は、無線通信経路２００ｂを介してインターネットにデータを送信および受信でき、ＨＴＭＬを用いて２方向通信経路２００ｂを介して他のシステムのウェブページまたは情報データベース２５０にデータを送信および受信できる。ホストシステム１２５は、通信経路２００ａおよび２００ｂを介してデータを送受信するために、インターネット閲覧ソフト（例えば、Microsoft Internet Explorer（登録商標）、Opera（登録商標）、Netscape Navigator（登録商標）およびMozilla Firefox（登録商標）を含む既知のウェブブラウザ）を有してもよい。ホストシステム１２５が携帯電話ネットワークによってインターネットおよび／またはインターネットサービスプロバイダのゲートウェイサーバに接続されてもよいことは理解されるべきである。
【００６８】
さらに、本発明の単眼式表示装置１００は、経路２００ａ〜２００ｅを介して、プッシュ型電子メール、プル型電子メール、または電子メールアカウント（例えば、ＭＳＮ（登録商標）Hotmail、Google（登録商標）G-Mail、Yahoo!（登録商標）mail、ＡＯＬ（登録商標）Mailなどの当技術分野において既知の任意の電子メールプロバイダもしくはインターネットサイト）から定期的に転送される電子メールを受信するように構成されてもよい。一実施形態では、無線リンク１３５または通信経路２００ａ〜２００ｅは、Staccato Communication（登録商標）Ultra Wide Band（ＵＷＢ）のＵＳＢの使用に対して互換性がある。このＵＳＢは、単一チップのフットプリント上で最大480Mbpsの無線接続機能を提供するために、無線周波数（ＲＦ）トランシーバ、デジタルベースバンドおよびインタフェースを有し、単眼式表示装置１００内またはホストコンピュータ処理装置１２５内に置かれる。
【００６９】
一実施形態において、ホストコンピュータ処理装置１２５と単眼式表示装置１００とは相互にマスタ／スレーブ関係を形成することが理解されるべきである。ホストコンピュータ処理装置１２５は、Microsoft Windows（登録商標）ＯＳおよび１次ディスプレイを有し、単眼式表示装置１００を１次ホストコンピュータ処理装置１２５に対する２次的補助ディスプレイとして認識する。ホスト１２５は、オペレーティングシステムを使用して、無線方式で２次単眼式表示装置１００を制御してもよい。
【００７０】
単眼式表示装置１００は、少なくとも２つの独立した無線通信経路１３５を介して、ほぼ同時に、第１コンピュータ処理装置および第２コンピュータ処理装置のような２つ以上のホスト装置１２５と無線で相互作用（インタフェースを持つ）してもよいことが理解されるべきである。この構成において、単眼式表示装置１００は、第１コンピュータ処理装置、第２コンピュータ処理装置および他の装置と同期をとり、これにより単眼式表示装置１００が中央ハブとして作用してもよい。
【００７１】
この構成において、単眼式表示装置１００は、第１装置と第１無線通信経路を開始し、また同時に第２装置と第２無線通信経路を開始してもよい。第１および第２通信経路は、同一でも異なっていてもよく、Bluetooth（登録商標）接続もしくは改良Bluetooth（modified Bluetooth（登録商標））接続または別のプロトコル上で構成されてもよい。一構成において、通信経路はBluetooth（登録商標）2.0もしくは3.0接続、IEEE802.11もしくはIEEE802.15無線接続プロトコルであってもよく、この接続は、可変ビットレートおよび可変バッファで同時に複数チャネルを介して通信するのに適している。代替の実施形態では、通信経路は、Bluetooth（登録商標）接続であってもよく、この接続は、可変ビットレートおよび可変バッファで同時にすべてのチャネルを介して通信するのに適している。
【００７２】
第１コンピュータ処理装置および第２コンピュータ処理装置は、ラップトップ、サーバ、インターネット、デスクトップ、スマートフォン、移動電話、音楽プレーヤなどの任意の移動式または非移動式の装置のような、先に述べたコンピュータ処理装置のいずれかであってもよく、様々なコンピュータ処理装置が本開示の範囲内で可能である。好ましくは、単眼式表示装置１００を見る人は、装置１００を制御して、無線Bluetooth（登録商標）接続を介して遠隔の第１コンピュータ処理装置に問い合わせをして、第１コンピュータ処理装置とペアを形成してもよい。その後、単眼式表示装置１００は第１コンピュータ処理装置に対して制御プログラム命令を出力して、装置１００において機能を実行してもよい。一構成において、通信経路はBluetooth（登録商標）接続であり、この接続は、可変ビットレートおよび可変バッファで同時に多数のチャネル上で通信するのに適している。経路は、ビデオ（映像）、オーディオ（音声）、グラフィックなどの任意のデータを通信するのに適している。
【００７３】
その後、装置１００は（第１コンピュータ処理装置と通信中に）、無線Bluetooth（登録商標）接続上で第２コンピュータ処理装置に問い合わせをして、第２コンピュータ処理装置とペアを形成してもよい。これは、別々または同一の無線インタフェースを使用して達成してもよい。その後、装置１００は、第２コンピュータ処理装置に制御プログラム命令を出力してもよい。一構成において、通信経路はBluetooth（登録商標）接続であってもよく、この接続は可変ビットレートおよび可変バッファで同時に複数のチャネル上で通信するのに適している。経路は、ビデオ、オーディオ、グラフィックなどの任意のデータを通信するのに適している。
【００７４】
様々なコンピュータ通信構成が本開示の範囲内で可能であり、単眼式表示装置１００は、例えば、無線ヘッドセット、無線メモリ、無線スピーカなどの他のコンピュータ処理装置および／または周辺装置を制御するように構成されてもよい。例えば、装置１００は、同時に２つの携帯電話と独立してペアを形成してもよい。この方法では、装着者は、単眼式表示装置１００から送信されるプログラム命令を用いて、２つの携帯電話を使用して個別に電話をかけることができる。
【００７５】
代わりに、装置１００は、携帯電話および無線モデムを有するラップトップコンピュータとペアを形成して、装置１００を使用する携帯電話を用いて電話をかけながら、ラップトップコンピュータを制御してBluetooth（登録商標）接続上で送信されたビデオを再生して装置１００上に表示することができる。様々な構成が本開示の範囲内で可能であり、装置１００は、２つ以上の無線通信リンクを確立することによって、３つ以上の装置またはそれ以上の装置を制御してもよいことが理解されるべきである。
【００７６】
図３は、説明の目的で、本発明の単眼式表示装置１００の限定されない例示の実施形態の簡略化ブロック図である。単眼式表示装置１００は、ディスプレイコントローラ３００に接続されたディスプレイ要素１１０を有し、コントローラ３００はＰＣＩ（ペリフェラルコンポーネントインターコネクト（Peripheral Component Interconnect））バスのようなバス３０５に接続された、Intel（登録商標）、Freescale Semiconductor（登録商標）またはAdvanced Micro-Devices（ＡＭＤ）（登録商標）などのコントローラによって構成されたデジタル信号プロセッサであってもよい。一実施形態において、ディスプレイ１１０は、バス３０５に接続されたビデオグラフィックカード（図示せず）に接続されてもよい。ビデオグラフィックカードは、装置１００においてＡＧＰビデオカードスロットに適合するＡＧＰ（アクセラレーテッドグラフィックスポート（Accelerated Graphics Port））ビデオカードであってもよい。単眼式装置１００は、また、実行可能なプログラム命令を保存する、ランダムアクセスメモリ（ＲＡＭ）３１５および読出専用メモリ（ＲＯＭ）３２０などのメモリ３１０を有し、メモリ３１０はバス３０５を介してコントローラ３００にプログラム命令を伝達する。好ましくは、単眼式装置１００は、さらに、トランスミッタ３２５およびレシーバ３３０、および／または複合トランシーバ（図示せず）を有し、これらはいずれもバス３０５に接続されて、ホストコンピュータ処理装置１２５との無線インタフェースを形成する。トランスミッタ３２５およびレシーバ３３０はまたディスプレイコントローラ３００に接続され、このコントローラ３００の制御のための命令を受信する。
【００７７】
単眼式表示装置１００はまた入力装置３３５を有し、入力装置３３５は無線のマウス、トラックボールまたはキーボードなどのレシーバ３３０によって受信される無線リンク３４０によってＰＣＩバス３０５に無線接続される無線装置であってもよい。代わりに、入力装置３３５をバス３０５に有線接続（図示せず）して、コントローラ３００に入力信号を提供してもよい。入力装置３３５は、マスタ／スレーブネットワーク関係にある単眼式装置１００およびホスト１２５で、単眼式表示装置１００、ホスト装置１２５、またはこれらの両方におけるスクリーンプロンプトを制御してもよい。
【００７８】
単眼式装置１００は、外部つまりホスト装置１２５に問い合わせをしてホスト装置１２５との無線リンク１３５を確立するように構成され、これにより、ホスト装置１２５は無線リンク１３５を介して２方向方式で単眼式装置１００にアップリンクおよびダウンリンクのデータを提供できる。一実施形態において、単眼式装置１００は、単眼式装置１００のディスプレイ１１０上にグラフィックのマルチメディア情報を表示するのに適するアップリンクデータを受信できる。
【００７９】
ホストコンピュータ処理装置１２５は、中央処理装置（ＣＰＵ）３４５と、ＲＡＭ３５０およびＲＯＭ３５５を有するメモリとを有し、またキャッシュメモリ３６０を有する。
【００８０】
コンピュータ処理装置１２５は、さらに、トランスミッタ３６５およびレシーバ３７０、ならびに／または複合トランシーバ（図示せず）を有する。ホスト装置１２５は、また、図示するように、ＰＣＩバスのようなバス３９０に接続された、１次ディスプレイ３７５および入力装置３８０を有してもよい。バス３９０を、有線広帯域接続（図示せず）または無線広帯域接続３８５、ＤＳＬライン、ケーブルモデム、メディアプレーヤ、音楽もしくはビデオプレーヤなどの任意の適切なリンクに接続して、データベースからデータを受信してもよいことが理解されるべきである。
【００８１】
動作の初期ステージの間に、単眼式表示装置のトランスミッタ３２５とホスト装置のレシーバ３７０との間に２方向無線リンク１３５が確立され、認証プロセスが無線通信経路１３５にわたって発生する。その後、単眼式装置１００は、無線通信リンク１３５を介してホストのレシーバ３７０と無線通信でき、ホストのトランスミッタ３６５は単眼式装置のレシーバ３３０に信号を送信できる。一実施形態において、単眼式表示装置１００は、Bluetooth（登録商標）2.0または3.0の無線周波数規格を使用して、トランスミッタ３２５からホストのレシーバ３７０と無線通信してもよい。別の実施形態では、単眼式装置１００は、無線ＵＷＢ（Ultra-Wide Band）通信リンク１３５または短距離無線周波数信号１３５を使用して無線通信してもよい。
【００８２】
これに限定されるわけではない一実施形態において、単眼式表示装置１００のトランスミッタ３２５およびレシーバ３３０がホストコンピュータ処理装置１２５のキャッシュメモリ３６０にアクセスすることができるようにするために、ホストコンピュータ処理システム１２５の中央処理装置３４５は、プログラム命令を実行し、Microsoft Windows SideShow（登録商標）を使用して単眼式表示装置１００に問い合わせをする。キャッシュメモリ３６０のコンテンツが次に、バス３９０およびトランスミッタ３６５に伝達される。コントローラ３４５は制御信号を出力してトランスミッタ３６５から単眼式表示装置１００にデータを送信し、ホストコンピュータ処理装置１２５がオフの場合、つまり電力供給されずに、単眼ディスプレイ１１０上にマルチメディアを表示する。レシーバ３３０は、受信すると、バス３０５と通信して受信データの表示のためにコントローラ３００に送信する。
【００８３】
ディスプレイコントローラ３００はディスプレイ１１０に制御信号を出力して、画像を表示する。これにより、単眼式表示装置１００はホストコンピュータ処理装置１２５のキャッシュメモリ３６０に記憶されたデータを受信することができる。ホストコンピュータ１２５が使用中でないか、またはスイッチがオフである場合、単眼式表示装置１００で見られるデータは、キャッシュメモリ３６０からのデータであり、更新されない。このデータは少し古いデータであり、ホストコンピュータ処理装置１２５が動作しているときのように通信リンク２００ａ〜２００ｅを介して更新されるわけではない。単眼式表示装置１００およびホストコンピュータ処理装置１２５は、また、制御信号を受信し、その信号に応答してオーディオ（音声）を再生する、オーディオ装置３９５、３９５’を有することが理解されるべきである。
【００８４】
Microsoft Windows SideShow（登録商標）は複数の他の２次ディスプレイ１００を認識するように構成され、これら２次ディスプレイ１００は、ホストコンピュータ処理装置１２５とは別体で、つまり装置１２５から遠く離れて位置する。単眼式表示装置１００のディスプレイ要素１１０を使用して、ホストコンピュータ処理装置１２５がオフである場合、つまり電力供給されていない場合に、マルチメディアを見ること、実行可能なコードを実行すること、アプリケーションを実行すること、電子メールを閲覧すること、カレンダアプリケーションを閲覧すること、および無線リンク１３５を介して単眼式表示装置１００に送信されたホストコンピューティングデータを見ることができる。
【００８５】
代わりに、単眼式表示装置１００はネットワーク構成内のホストコンピュータ１２５と共に、かつ同時に、２次ディスプレイとして使用されるように構成されてもよい。これにより、単眼式表示装置１００の入力装置３３５およびディスプレイ要素１１０を用いて、ユーザは、ホストコンピュータのメモリ３６０のデータにアクセスでき、かつマスタ／スレーブ関係にある単眼式表示装置１００の２次ディスプレイ要素１１０の全てから、ホストコンピュータ１２５のプロセッサ３４５を用いて、アプリケーションを実行できる。ここで、２次ディスプレイ要素１１０は、ホストコンピュータ１２５の１次ディスプレイとは異なる画面を表示できるものである。
【００８６】
図４は、無線ヘッドセットディスプレイ装置１００に組み込まれた電子コンポーネントのより詳細な図であり、装置１００はホストシステム１２５に接続され、Bluetooth接続上でデジタルビデオ信号を受信する。これらのコンポーネントは、2008年1月4日出願で同時継続の特許出願第61/010,177号（代理人整理番号0717.2082-000号で発明の名称「Bluetooth無線インタフェースを介してビデオ信号を送信するためのプロトコル（PROTOCOL FOR TRANSPORTING VIDEO SIGNAL OVER BLUETOOTH WIRELESS INTERFACE）」）により詳細に開示されており、この全開示内容は、参照により本明細書に引用したものとする。
【００８７】
好ましい実施形態では、ヘッドセット１００は、AdvancedＲＩＳＣ（アドバンスドＲＩＳＣ（Reduced instruction set computer））マシン（ＡＲＭ）／デジタル信号プロセッサ（ＤＳＰ）４１２（テキサス州、ダラスのテキサスインスツルメンツ社から市販されているＯＭＡＰ（オープンマルチメディアアプリケーションプラットフォーム（Open Multimedia Application Platform））３５００シリーズプロセッサであってもよい）と、メモリ４１４と、Bluetoothインタフェース４１６（イギリス、ケンブリッジのCambridge Silicon Radio（ＣＳＲ）社から市販されているクラス２Bluetoothインタフェースにより提供されている）と、ディスプレイドライバ４１９（例えばマサチューセッツ州ウエストボロのKopin社から市販されているＳＳＤ１５０８ディスプレイドライバであってもよい）と、ビデオレベルシフタ回路４２０と、バッテリ４２４によりサポートされる電源４２２と、ユニバーサル・レシーバ・トランスミッタ（ＵＡＲＴ）４２６（例えばデバッグに使用される）と、メモリ４１５とを有する。ＳＤ（セキュアデジタル（Secure Digital））、ｘＤ（エクストリームデジタル（eXteme Digital））、ｕＳＤ（ＵＳＢ ＳＤ（ＵＳＢ一体型ＳＤ））メモリ４１７などのインタフェースを使用して、アプリケーションプログラム、カーネル命令または構成データ（コンフィグレーションデータ）を記憶し、さらに／代わりに、デジタルカメラのような装置に接続してもよい。複数のボタン４３０が、装置（例えばスイッチ１／スイッチ２／スイッチ３およびリセット入力）およびＬＥＤ出力４３２（発光ダイオード（led）１）に接続されてもよい。ＶＧＡまたはより高品位ディスプレイ１１０、ならびにマイクロフォン入力４６２およびステレオ出力４６４を含むオーディオ入出力装置４６０も設けられている。
【００８８】
信号は、ＳＰＰ（シリアルポートプロファイル（Serial Port Profile））を使用して装置１００からホスト１２５に確立されたBluetooth無線接続上を送信されてもよい。この送信は、任意の「改良（advanced）」Bluetoothモードを用いることとは対照的である。この「改良（advanced）」Bluetoothモードは、このアプリケーションでは必要ないと見られている改良されたモードによって課せられた上位層プロトコルよりも大きい高スループットを提供する。Bluetooth Radio４１６では、Bluetooth接続上で受信されたビデオ信号が、インタフェース４１６からＡＲＭ／ＤＳＰ ４１２にＵＳＢ接続４１８を介して送信される。
【００８９】
１つの設計上の考慮点は、既知のデータバッファサイズを条件として、データパケットフォーマットを最適化することである。ＣＳＲチップ４１６の内部では、パケットバッファのデフォルトサイズは1000バイトである。これを、約990バイトのバッファサイズのみを使用するストリーミングビデオ信号に強制変更してもよい。
【００９０】
プロセッサ４１２は、いわゆるベースラインプロファイル（baseline profile）またはそれ以上を使用して、H.264（ＭＰＥＧ（Motion Picture Expert Group）-4 Part 10）フォーマットでコード化された受信ビデオコンテンツを期待してもよい。
【００９１】
好ましい実施形態では、ＡＲＭ／ＤＳＰプロセッサ４１２はマルチタスク埋込みオペレーティングシステムを使用してもよい。プロセッサ４１２はビデオ信号を受信すると以下のように動作する。ＭＰＥＧフォーマットコンテナファイル（例えばＭＰ４ファイル）が利用可能にされる。１つの好ましい実施形態では、これは独自のファイルフォーマットであってもよく、ＤＳＰ４１２が適正にそのフォーマットを処理するようにプログラムされている限り、選択された入力ＭＰ４ファイルフォーマットに特有の詳細はここでは重要ではない。プロセッサ４１２は、次に、ホストシステム１２５に対して通信ポートを開き、ＣＳＲチップ４１６内のBluetoothトランシーバからＵＳＢインタフェース４１８を介してファイルを受信する。
【００９２】
ＤＳＰ４１２内のＭＰ４デコーダは、ファイルを各オーディオストリームおよび各ビデオストリームに分解する。より詳細には、ＤＳＰ４１２は、入力ファイルH.264圧縮デジタルビデオ信号を、YCbCrベースバンドコンポーネントビデオ信号に復号化する。ＡＲＭ／ＤＳＰ４１２はまた、関連する圧縮オーディオ（ＡＡＣ（Advanced Audio Coding）フォーマット信号としてフォーマットされている）をベースバンドステレオオーディオに分割できる。
【００９３】
ＡＲＭ／ＤＳＰ４１２は、８ビットである国際電気通信連合の無線通信部門（ITU-R）推薦のBT.656フォーマット、または個別の同期信号を有する、映画テレビ技術者協会（ＳＭＰＴＥ）の293M 16ビットＹＵＶ順次走査などの任意の適切なフォーマットのビデオを、ディスプレイドライバ１１８に出力できる。
【００９４】
解凍されたビデオ信号は、プロセッサ４１６の内部ＡＲＭバスを介して転送できる。ＡＲＭバスは、次に、ＳＭＰＴＥ２９３Ｍインタフェースを経由してディスプレイドライバ４１９に直接コンテンツを送信する。Ｉ２Ｃ（Intelligent Interface Controller）インタフェース４４７はディスプレイ１１０を設定するために使用される。
【００９５】
ＡＲＭ４１２は、また、オーディオ出力ＣＯＤＥＣ（圧縮／解凍モジュール（Compression/Decompression Module））４６０にベースバンドオーディオを出力する。ＡＲＭ４１２はモノラルまたはステレオのオーディオ入力を取り込み、適切なステレオ出力信号を生成してもよい。
【００９６】
図５は、単眼式表示装置の実施形態による動作方法５００のフローチャートである。この方法が開始し（ステップ５０５）、その後、単眼式表示装置はユーザ入力要求を待つ（ステップ５０７）。この入力は、入力装置からの任意の信号出力、例えば、無線トラックボール、無線マウスもしくは無線キーパッドまたは単眼式表示装置のハウジング（例えば図１のハウジング１０５）に配置されたボタンからの出力であってもよい。一実施形態において、オペレーティングシステム、例えばMicrosoft Windows Mobile（登録商標）オペレーティングシステムを使用して、かつ無線マウスを使用して、ユーザは、単眼式表示装置のスクリーン（例えば図１のスクリーン１１０）上のアイコンをダブルクリックして、電子メールのメッセージを開くことや、アプリケーションを開くことを指示してもよい。その後、本方法５００は、要求に応じて、コンテンツのソース（発生源）からデータを受信することを試み、本方法は、コンテンツのソースが、例えばカメラ出力上のような単眼式表示装置上のメモリ（例えば図３のメモリ３１０）内にあるか否か、またはソースがホストコンピュータ（例えば図１のホスト１２５）上のような別の遠隔位置にあるか否かを判定する（ステップ５１０）。データが実際にローカルに記憶され（ステップ５１２）、無線リンクが必要とされない場合、ローカルメモリがアクセスされ（ステップ５１５）、データはディスプレイ要素上での次ぎの表示のために検索されてロードされる。本方法５００がローカルメモリにアクセスすると（ステップ５１５）、本方法５００は新しいユーザ入力要求に対して待機するために戻る（ステップ５０７）。
【００９７】
しかし、データが、リモートメモリ上または単眼式表示装置上に位置しないメモリ内にある場合（ステップ５１３）、Bluetooth（登録商標）接続または他の前述の無線接続が開始され（ステップ５２０）、要求に従ってデータを取得する（ステップ５０７）。前述のように、他の無線接続方式が使用されてもよく、本発明の方法５００は単に例示目的であることが理解されるべきである。
【００９８】
装置のトランスミッタ（例えば図３のトランスミッタ３２５）が起動されてホストコンピュータ処理装置に問い合わせをして（応答指示信号を送り）（ステップ５２５）、ホストコンピュータ処理装置のレシーバ（例えば図３のレシーバ３７０）に初期設定信号を送信する。ホストは、Bluetooth（登録商標）信号が十分なパワーを有し、単眼式表示装置１００からの受信であるか否かを判定する（ステップ５３０）。信号が受信されると、ホストのトランスミッタ（例えば図３のトランスミッタ３６５）は、第２の所定の信号を使用することによって、単眼式装置レシーバ（例えば図３のレシーバ３３０）に確認信号を送信する。信号が受信されていない場合（ステップ５３２）、単眼式表示装置はホストに対する問い合わせ（応答指示信号の送信）（ステップ５２５）をし続ける。よりパワーの大きいまたはより強い指向性の信号が送信される。信号がホストコンピュータ処理装置によって適正に受信されると（ステップ５３４）、２方向データ通信経路が無線リンク（例えば図３の無線リンク１３５）全体にわたって形成される（ステップ５３５）。アップリンクおよびダウンリンクの信号が、装置（例えば図３の単眼式表示装置１００およびホスト１２５）同士の間で２方向接続データ通信経路を介して通信される。本発明の方法は、図５の限定されるわけではない方法に加えて、無線リンクを介して送信される様々な診断・ユーティリティアプリケーションおよび信号の説明に過ぎない。
【００９９】
２方向データ通信経路が形成されると（ステップ５３５）、マルチメディアデータファイルは、ホストコンピュータ処理装置から単眼式表示装置に通信されてもよい。１つの限定されるわけではない実施形態では、通信経路の帯域幅は、毎秒数ビットで十分であり、Microsoft Windows Vista（登録商標）オペレーティングシステムがホストコンピュータ処理システムにおいて動作している場合、ホストのディスプレイ出力スクリーン（例えば図３のホストディスプレイ３７５）のグラフィック出力はディスプレイ要素（例えば図３のディスプレイ１１０）においてリアルタイムで見ることができる。このため、両方のディスプレイが並べて置かれている場合、カーソルの動作はほぼ同時に両方のスクリーン上で発生し、ホストコンピュータ処理システムの遠隔操作が単眼式表示装置において可能になる。
【０１００】
ディスプレイコントローラ（例えば図３のコントローラ３００）は、コンピュータ処理装置からのビデオ信号（映像信号）への要求を送信する（ステップ５４０）。要求はバス３０５およびトランスミッタに通信されて、リンクを介して送信される。その後、単眼式表示装置は、ビデオ信号が無線方式でホストコンピュータ処理システムから受信されたか否かを判定する（ステップ５４５）。信号が無線で受信された場合（ステップ５４７）、単眼式表示装置はオーディオ（音声）を要求する（ステップ５５０）。信号が無線方式で受信されなかった場合（ステップ５４８）、単眼式表示装置は戻って別の要求を送る（ステップ５４０）。
【０１０１】
ディスプレイコントローラは、ホストコンピュータ処理装置からのオーディオ信号への要求を送信する（ステップ５５０）。オーディオおよびビデオの信号は１つの連続信号として送信されてもよく、本発明の開示は、任意のこのような２つの信号の実施形態に限定されるわけではない。要求は、バス（例えば図３のバス３０５）およびトランスミッタに通信され、次にリンクを介して送信される。
【０１０２】
単眼式表示装置は次に、オーディオ信号が無線方式でホストコンピュータ処理システムから受信されたか否かを判定する（ステップ５５５）。オーディオ信号が無線で受信された場合（ステップ５５７）、単眼式表示装置はビデオを表示する（ステップ５６０）。オーディオのデータまたは信号が無線で受信されなかった場合（ステップ５５８）、単眼式表示装置は戻って別の要求を送信する（ステップ５５０）。
【０１０３】
プログラム命令により、単眼式表示装置は、ディスプレイコントローラによってディスプレイ上に、好ましくはユーザの周辺視野内にビデオを表示し（ステップ５６０）、オーディオ装置（例えば図３のオーディオ装置３９５）を使用してオーディオを再生する（ステップ５６５）。その後、さらなる入力信号に対する要求が送信される（ステップ５７０）。次に、プロセスが完了しているか否かが判定される（ステップ５７５）。プロセスが完了している場合（ステップ５７７）、本方法は終了する（ステップ５８０）。プロセスが完了していない場合（ステップ５７８）、さらなるユーザ入力要求が待たれる（ステップ５０７）。様々な制御構成が可能で本発明の開示の範囲内であり、本発明の構成は単に例示目的である。暗号化のステップおよびホストコンピュータ処理または他の外部コンピュータ処理装置のフォーマットを解読するステップに対する複数の他のステップもまた考えられる。
【０１０４】
図６は高レベルなソフトウェア図であり、単眼式表示装置１００を使用して、ユーザインタフェースを介して様々なホスト１２５を制御および管理する方法を示す。ソフトウェアスタック６００は、Linuxカーネル６０２のようなオペレーティングシステム（ＯＳ）のカーネルの最上位で動作するデバイスアプリケーションブラウザ６０１と、Direct ＦＢ（DirectＦＢ）スタック６０３によって提供されるプリミティブのような描画プリミティブ（描画基本要素）と、ＧＴＫ（Gimp Tool Kit）ウインドウツールキット６０４のようなグラフィックツールキットとを有する。デバイスアプリケーションブラウザ６０１によって、ユーザはアイコンおよびメニューのインタフェースを介して無線ビデオヘッドセット１００のアプリケーションソフトウェアにアクセできる。このソフトウェアは、一般に、特定の装置１００に対して書かれたカスタムコードから成る。
【０１０５】
ＯＳ６０２は、図４に示したＯＭＡＰ３５００シリーズＡＲＭ／ＤＳＰのような無線ビデオヘッドセット１００内のプロセッサ上で動作するように移植されている。カーネルレベル６０２は、その他の点では、標準的なオペレーティングシステム機能を提供する。描画プリミティブ層６０３は、グラフィック加速入力装置（graphic acceleration input device）の操作および抽象化組込みウインドウシステム（abstraction integrated windowing system）を提供する、ある程度薄いグラフィックライブラリ（シングラフィックライブラリ）であってもよい。最終結果は、Bluetooth（登録商標）ディスカバリ（discovery）６１１、計算機６１２、メディアプレーヤ６１３および設定インタフェース６１４などのユーザが利用可能な様々なアプリケーションを有する、アイテム３１０において示されるような、グラフィックユーザディスプレイである。
【０１０６】
デバイスアプリケーションブラウザ６０１のコンテキスト内で動作するアプリケーションは、スピーチ入力６２１、仮想（デスクトップ）ネットワーククライアント６２２、およびウェブブラウザ６３２を含む。仮想ネットワークは、パーソナルコンピュータ（ＰＣ）を遠隔制御することを可能にするシステムである。ビットマップの形式で別の装置にスクリーンディスプレイ全体をエクスポート（移出）することによりこれを実行する。このビットマップは、ネットワークプロトコルに包み込まれ、装置によって受信され、単に表示される。同様に、ローカル装置によって検出されるマウスの動きまたはキーボードのエントリデータは、リモートＰＣに直接渡され、そこで作用される。
【０１０７】
スピーチコマンドインタフェース６２１は、アプリケーションブラウザ６０１を制御するための音声入力コマンドを提供または許可する。そのため、例えばユーザが「計算機」という単語を言うと（ただしこれは次にスピーチ装置によって検出される）、オペレーティングシステム６０２は計算機アプリケーションを起動する。一般に、アプリケーションブラウザのコンテキスト内でスクリーン上のボタンまたはアイコンの隣に表示されるテキストラベルは、対応するボタンを起動するであろう発声される単語を示す。
【０１０８】
またデジタル入力（スイッチ）を用いて、アプリケーションおよび関連のデータを完全に制御および編集することを可能にするメニュー機能をナビゲートして（見て回って）選択することができる。
【０１０９】
容易に理解されるように、ディスカバリアプリケーション６１１は、近くのBluetooth（登録商標）装置の発見だけではなく、これら装置をアプリケーションブラウザレベルにまで接続することを可能にする。例えば、例示のユーザディスプレイ３１０内には、デスクトップコンピュータ６２７およびBlackberry（登録商標）６２８を含む、２つの接続された装置が現在存在するという事実が示されている。装置６２７、６２８は、ディスカバリアプリケーション６１１の動作によって発見されている。これは、例えば、無線ヘッドセット装置１００の最初の電源投入によって、またはBluetooth（登録商標）ディスカバリプロセスをユーザが手動で起動することによって、起動される。Bluetooth（登録商標）デバイスディスカバリは、Bluetooth（登録商標）仕様に従って進行し、物理層において接続されると、任意の新しいBluetooth（登録商標）層デバイスを報告する。
【０１１０】
しかし、この時点において、追加機能が提供され、ネットワークレベルでBluetooth（登録商標）装置との通信が可能になる。具体的には、クライアント６２７、６２８は、ローカルホスト上の特定のポート（無線ヘッドセット装置に対してローカルであるアドレス）を開くように通告される。このデバイスポートがプロクシとして作用し、常にこのような要求を探す。要求が受信されると、装置は、ネットワークレベル通信について個々の装置３２７、３２８によって使用されるべき利用可能なネットワークレベルアドレス（すなわちＴＣＰ／ＩＰアドレスのようなアドレス）を折り返し報告する。
【０１１１】
図７は、図６のブラウザアプリケーション６０１によって提供される、ハードウェアインタフェースの機能７００を示す。この機能７００は、装置１００の様々なハードウェア機能を受信および／または制御する。このような機能は、ヘッドセット検出７０１と、バッテリの状態７０２と、ヘッドセットボタン７０３、スピーカのボリューム７０４およびマイクロフォンのボリューム７０５などの出力装置の調整と、メディアストリーミング機能７０６と、フレームバッファの切り替え７０７と、デバイスドライバと、これらと同様の機能とを含む。
【０１１２】
図８は、特定のプロクシ機能を付加した、図１のBluetoothリンク１３７において実装される標準的なBluetoothプロトコルスタックを示す。Bluetooth（登録商標）層は、任意の標準的なBluetooth（登録商標）装置におけるのと同様に、Bluetooth（登録商標）装置８００のディスカバリ（発見）を提供する。ただし、接続されたヘッドセット装置１００（８１０）も、このような装置とのデータ交換を可能にするプロトコル情報を提供する（８１２）。ヘッドセット装置１００はまた、かかってくる電話８２２およびかける電話８２４の処理を提供する、電話ヘッドセット装置のような、他の種類のヘッドセット装置に接続できる（８２０）。
【０１１３】
図９Ａ、９Ｂおよび１０は、Bluetooth（登録商標）インタフェース１３７によって提供されるプロクシの機能の詳細を示す。
【０１１４】
図９Ａは、データソースへの複数の直接ＴＣＰ層接続を含む、従来の方法を示す。例えば、図６のスピーチ認識アプリケーション６２１、仮想ネットワーククライアント６２２およびウェブブラウザクライアント６２３などの、アプリケーションブラウザ６０１のコンテキストで動作している各アプリケーションは、ホスト１２５’によって提供されるデータソースに対する１つ以上のＴＣＰ接続をそれぞれ要求する可能性がある。従来のシステムはデータソースへの多数の直接ＴＣＰ接続を含む。
【０１１５】
図９Ｂは、Bluetooth（登録商標）自体は、インターネット２５０のような上位層ネットワークとの直接接続を提供しないが、単眼式表示装置１００とインターネット２５０間の接続が、インターネット使用可能装置１２５を介してプロクシ９３０によってサポートされる方法を示す。Bluetoothはインターネットに直接接続できない。Bluetoothはインターネット使用可能装置を介してプロクシされなければならない。したがって、例えばウェブブラウザ６２３（図６）のようなアプリケーションが、ホスト装置１２５’がネットワーキングプロクシとして作動することを一般に要求する。
【０１１６】
図１０は、単一のBluetoothリンク１３７が複数のアプリケーション６２１〜６２３（図６）をサポートする好ましい構成を示す。複数のアプリケーション６２１〜６２３は、単一Bluetooth（登録商標）接続１３７が、伝送制御プロトコル（ＴＣＰ）接続（コネクション）のような複数のソケットをサポートすることを要求する。例えば、このように単一Bluetooth（登録商標）接続１３７が複数のソケットのサポートを要求しない場合、各アプリケーション６２１〜６２３は、複数のＴＣＰ接続を要求するかもしれないが、代わりに、標準的なBluetooth（登録商標）層と通常のＴＣＰプロトコル層との間に加えられたBluetooth（登録商標）プロクシ層９１０が、単一ソケットに複数の要求されたＴＣＰ接続をまとめる。Bluetooth（登録商標）リンク１３７によって提供される単一ソケットは次に複数の接続をホストに伝達する。
【０１１７】
同様で逆の機能９１８がホスト側１２５に設けられ、パケットをそれぞれの接続６２１’〜６２３’に対して分解する。
【０１１８】
Bluetooth（登録商標）自体は、ホストとクライアント間の複数の接続ソケットを許可するが、多くの移動電話利用者が単一接続の制限を加える。そのため、単一接続の制限が多くの場合に見受けられる。これは、より優れたセキュリティを可能にするのみではなく、Bluetooth（登録商標）接続要求が無線装置に殺到する可能性を回避する。
【０１１９】
この方法により、標準的なウェブブラウザアプリケーション６２３（図６）は、例えばＴＣＰソケットの使用の改良を必要とせずに、動作することができる。そのため、クライアント１００上に設けられたBluetooth（登録商標）プロクシ９１０およびホスト１２５上に設けられたプロクシ機能９１８の動作は、アプリケーションブラウザ６０１内で動作するアプリケーション６２１〜６２３を隔離し、また、このような改良されたソケットの機能からホスト１２５上で動作するアプリケーションを隔離する。例えば、ホスト１２５上で動作する仮想ネットワークは改良される必要がない。
【０１２０】
図１１は、デバイスアプリケーションブラウザ６０１が、特定のホスト装置のコンテンツフォーマットの仕様を知る必要を排除するために提供されるデバイスドライバを示す。このように、例えば、Blackberry（ブラックベリ）サーバ１００１がBlackberryホスト１２５ｂに対して提供され、Windows Vistaサーバ１００２がWindowsマシンのホスト１２５ｃに対して提供される。これにより、特定のホスト１２５に対するユーザインタフェース仕様は、無線ヘッドセット装置１００に対する汎用的なインタフェースとして提示される。サーバ１００１、１００２は、図１０のBluetooth（登録商標）プロクシ機能９１８（すなわち複数の要求されるチャネルにＴＣＰチャネルデータを展開すること）およびコンテンツサーバを含む、少なくとも２つの機能を提供する。
【０１２１】
図１２は、サーバ１００１、１００２による装置のコンテンツの処理を示す。これらは、電子メール受信ボックス１１０１、コンテンツのリスト１１０２、株価表示機（ティッカ）１１０３、メディアブラウザ１１０４などを含むコンテンツの各種類に対するコンテンツフォーマットを含んでもよい。これらのサーバの機能１１０１〜１１０４のそれぞれは、ページマークアップ言語を使用してコンテンツを再フォーマットする。ページマークアップ言語は、次に、ビデオヘッドセット装置上で、コンテンツのブラウザ６０１によって解釈される。そして、コンテンツのブラウザ６０１はページマークアップ言語を汎用的に解釈して、ビデオヘッドセット装置１００の様々な必要条件に適合させる。
【０１２２】
代替の実施形態では、Windows Sideshow（登録商標）サーバのような機能が、Windows装置からフォーマットされたコンテンツを取り出し、Sideshowの必要条件に従ってこれをフォーマットしてもよい。Windows SideShowは、WindowsＰＣが主ＰＣに接続された様々な補助ディスプレイ装置を駆動することを可能にする、Microsoft（登録商標）オペレーティングシステムのWindows Vista（登録商標）リリースにおいて導入された技術である。これら装置は、主ＰＣとは別体または一体であってもよく、例えばラップトップカバーの外側などに組み込まれたディスプレイである。
【０１２３】
仮想ネットワークおよび／またはSideShowの機能によって、同一のユーザスクリーン、同一のグラフィックユーザインタフェース、およびホスト装置の慣れているユーザコントロールを得る効果において、無線ヘッドセット装置は「カメレオン」になることができる。装置１００が同時にいくつかのホスト（すなわち、Blackberry、携帯電話およびＰＣ）を受け入れる場合であっても、ユーザはホスト装置間を切り替えることができる。ユーザがこのような切り替えを行うたびに、ユーザは、慣れているスレーブまたはホストおよび装置のユーザスクリーン、同一のグラフィックユーザインタフェース（ＧＵＩ）、ならびに同一の慣れているコントロールおよびコマンドを見てさらに分かることができる。
【０１２４】
このように、携帯型ビデオヘッドセット１００によって、ユーザによりすべて選択可能である様々な方法でコンテンツを見ることができる方法が理解される。これらの方法には、以下に示すものが含まれる。
・装置自体に対して書かれた新しいアプリケーションであって、デバイスアプリケーション、ウェブアプリケーション、ウェブブラウザなど。
・Microsoft（登録商標）のSideShowアプリケーションまたは仮想ネットワーク接続を介するネイティブ・アプリケーション。
【０１２５】
Bluetooth（登録商標）プロクシサポートによって、最初のホストの装置のＧＵＩインタフェース、スクリーン、コマンドおよび制御インタフェースを押し込める（push through）効果は、同時に複数の装置に対してサポートすることができる。
【０１２６】
本発明を例となる実施形態に関して詳細に示し、説明してきたが、添付の特許請求の範囲に含まれる本発明の範囲から逸脱することなく、形態および詳細において様々な変更がなされてもよいことが当業者には理解されるであろう。
【符号の説明】
【０１２７】
１１０  ディスプレイ
１３５  無線インタフェース
【図１】
2010527557.tif 000003
【図２】
2010527557.tif 000004
【図３】
2010527557.tif 000005
【図４】
2010527557.tif 000006
【図５】
2010527557.tif 000007
【図６】
2010527557.tif 000008
【図７】
2010527557.tif 000009
【図８】
2010527557.tif 000010
【図９】
2010527557.tif 000011
【図１０】
2010527557.tif 000012
【図１１】
2010527557.tif 000013
【図１２】
2010527557.tif 000014
【国際調査報告】
2010527557.tif 000015